(57)【要約】  実施形態は、無線通信ネットワークのユーザ機器（ＵＥ）に対して、１つまたは複数の別のＵＥと共有される通信チャネルの周波数領域リソースを配分する方法を含む。このような実施形態は、共有チャネルを介した通信に使用可能なアクティブキャリア帯域幅部分（ＢＷＰ）の指標をＵＥに送信することを含む。このような実施形態は、ＵＥに配分されるアクティブＢＷＰ内の１つまたは複数の周波数領域リソースブロック（ＲＢ）を選択することを含む。このような実施形態は、複数の利用可能なビットを用いて、１つまたは複数の選択ＲＢの指標を符号化することであり、複数の利用可能なビットが、アクティブＢＷＰ内のＲＢのすべての配分可能な組合せの符号化に不十分である、１つまたは複数の選択ＲＢの指標を符号化することを含む。このような実施形態は、ダウンリンク制御チャネルを介して、符号化指標をＵＥに送信することを含む。また、実施形態は、ＵＥにより実行される補完方法のほか、さまざまな方法を実行するように設定および／または構成されたネットワークノードおよびＵＥを含む。【選択図】図１１
2021508958.tif 000002
【特許請求の範囲】
【請求項１】
無線通信ネットワークのネットワークノードにより、ユーザ機器（ＵＥ）に対して、１つまたは複数の別のＵＥと共有される通信チャネルの周波数領域リソースを配分する方法（１４００）であって、
前記共有チャネルを介した通信に使用可能なアクティブキャリア帯域幅部分（ＢＷＰ）の指標を前記ＵＥに送信すること（１４１０）と、
前記ＵＥに配分される前記アクティブＢＷＰ内の１つまたは複数の周波数領域リソースブロック（ＲＢ）を選択すること（１４２０）と、
複数の利用可能なビットを用いて、前記１つまたは複数の選択ＲＢの指標を符号化すること（１４３０）であり、前記複数の利用可能なビットが、前記アクティブＢＷＰ内のＲＢのすべての配分可能な組合せの符号化に不十分である、前記１つまたは複数の選択ＲＢの指標を符号化すること（１４３０）と、
ダウンリンク制御チャネルを介して、前記符号化指標を前記ＵＥに送信すること（１４４０）と、
を含む、方法。
【請求項２】
前記複数の利用可能なビットが、
2021508958.tif 000153
未満であり、
2021508958.tif 000154
が、前記アクティブＢＷＰ中のＲＢ数である、請求項１に記載の方法。
【請求項３】
前記１つまたは複数の配分ＲＢが、開始仮想リソースブロック（ＲＢｓｔａｒｔ）および隣接割り当てリソースブロック長（ＬＲＢｓ）によって表される、請求項１または２に記載の方法。
【請求項４】
前記開始仮想リソースブロック（ＲＢｓｔａｒｔ）が、ＫＳＲＢの分解能で符号化され、前記隣接割り当てリソースブロック長（ＬＲＢｓ）が、ＫＬＲＢの分解能で符号化される、請求項３に記載の方法。
【請求項５】
ＫＳが、ＫＬに等しい、請求項４に記載の方法。
【請求項６】
前記指標が、当該指標が表し得る前記ＲＢｓｔａｒｔの最小値がゼロで、当該指標が表し得る前記ＬＲＢｓの最小値がＫＬとなるように符号化される、請求項４または５に記載の方法。
【請求項７】
前記アクティブＢＷＰが、
2021508958.tif 000155
を含み、
前記複数の利用可能なビットが、前記アクティブＢＷＰ以外のＢＷＰのＲＢ数
2021508958.tif 000156
に基づいて決定される、請求項１から６のいずれか一項に記載の方法。
【請求項８】
ＫＳおよびＫＬの少なくとも一方が、
2021508958.tif 000157
を
2021508958.tif 000158
で除した比の関数に基づいて決定される、請求項７に記載の方法。
【請求項９】
前記関数が、床関数、天井関数、および丸め関数のうちの１つである、請求項８に記載の方法。
【請求項１０】
ＫＳおよびＫＬがともに、
2021508958.tif 000159
を
2021508958.tif 000160
で除した比の前記関数が特定の閾値を下回る場合に、１に等しいものと決定される、請求項８または９に記載の方法。
【請求項１１】
前記指標が、
2021508958.tif 000161
の場合に
2021508958.tif 000162
に、および
その他の場合に
2021508958.tif 000163
に従って符号化され、ここにおいて
2021508958.tif 000164
であり、ＲＢ’ｓｔａｒｔ＝ＲＢｓｔａｒｔ／ＫＳ、およびＬ’ＲＢｓ＝ＬＲＢｓ／ＫＬである、請求項７から１０のいずれか一項に記載の方法。
【請求項１２】
前記ＵＥにより、前記アクティブＢＷＰ内の前記１つまたは複数の選択ＲＢを用いて、データを送信または受信すること（１４５０）をさらに含む、請求項１から１１のいずれか一項に記載の方法。
【請求項１３】
ユーザ機器（ＵＥ）により、無線通信ネットワークのネットワークノードから、１つまたは複数の別のユーザ機器（ＵＥ）と共有される通信チャネルの周波数領域リソースの配分を受信する方法（１５００）であって、
前記ネットワークノードから、前記共有チャネルを介した通信に使用可能なアクティブキャリア帯域幅部分（ＢＷＰ）の指標を受信すること（１５１０）と、
ダウンリンク制御チャネルを介して、前記アクティブＢＷＰ内の１つまたは複数の配分周波数領域リソースブロック（ＲＢ）の指標を受信すること（１５２０）であり、前記指標が、前記アクティブＢＷＰ内のＲＢのすべての配分可能な組合せの符号化に不十分な複数のビットで符号化される、前記アクティブＢＷＰ内の１つまたは複数の配分周波数領域ＲＢの指標を受信することと、
前記指標を復号化して、前記アクティブＢＷＰ内の前記１つまたは複数の配分ＲＢを取得すること（１５４０）と、
を含む、方法。
【請求項１４】
前記複数の利用可能なビットが、
2021508958.tif 000165
未満であり、
2021508958.tif 000166
が、前記アクティブＢＷＰ中のＲＢ数である、請求項１３に記載の方法。
【請求項１５】
前記１つまたは複数の配分ＲＢが、開始仮想リソースブロックＲＢｓｔａｒｔおよび隣接割り当てリソースブロック長ＬＲＢｓによって表される、請求項１３または１４に記載の方法。
【請求項１６】
前記開始仮想リソースブロック（ＲＢｓｔａｒｔ）が、ＫＳＲＢの分解能で符号化され、前記隣接割り当てリソースブロック長（ＬＲＢｓ）が、ＫＬＲＢの分解能で符号化される、請求項１５に記載の方法。
【請求項１７】
ＫＳが、ＫＬに等しい、請求項１６に記載の方法。
【請求項１８】
前記指標が、当該指標が表し得るＲＢｓｔａｒｔの最小値がゼロで、当該指標が表し得るＬＲＢｓの最小値がＫＬとなるように符号化される、請求項１６または１７に記載の方法。
【請求項１９】
前記アクティブＢＷＰが、
2021508958.tif 000167
を含み、
前記複数の利用可能なビットが、前記アクティブＢＷＰ以外のＢＷＰのＲＢ数
2021508958.tif 000168
に基づいて決定される、請求項１５から１８のいずれか一項に記載の方法。
【請求項２０】
ＫＳおよびＫＬの少なくとも一方が、
2021508958.tif 000169
を
2021508958.tif 000170
で除した比の関数に基づいて決定される、請求項１９に記載の方法。
【請求項２１】
前記関数が、床関数、天井関数、および丸め関数のうちの１つである、請求項２０に記載の方法。
【請求項２２】
ＫＳおよびＫＬがともに、
2021508958.tif 000171
を
2021508958.tif 000172
で除した比の前記関数が特定の閾値を下回る場合に、１に等しいものと決定される、請求項２０または２１に記載の方法。
【請求項２３】
前記指標が、
2021508958.tif 000173
の場合に
2021508958.tif 000174
に、および
その他の場合に
2021508958.tif 000175
に従って符号化され、ここにおいて
2021508958.tif 000176
であり、ＲＢ’ｓｔａｒｔ＝ＲＢｓｔａｒｔ／ＫＳ、およびＬ’ＲＢｓ＝ＬＲＢｓ／ＫＬである、請求項１９から２２のいずれか一項に記載の方法。
【請求項２４】
前記ネットワークノードにより、前記アクティブＢＷＰ内の前記１つまたは複数の配分ＲＢを用いて、データを送信または受信すること（１５４０）をさらに含む、請求項１３から２３のいずれか一項に記載の方法。
【請求項２５】
無線通信ネットワークの複数のユーザ機器（ＵＥ）（１６１０）と通信するように設定されたネットワークノード（１６６０）であって、
請求項１から１２のいずれか一項に記載の方法に対応する動作を実行するように設定された処理回路（１６７０）と、
当該ネットワークノードの構成要素に電力を供給するように設定された電源回路（１６８７）と、
を備えた、ネットワークノード（１６６０）。
【請求項２６】
前記処理回路（１６７０）に動作可能に結合され、前記ＵＥと通信するように設定された送受信回路（１６７２）をさらに備えた、請求項２５に記載のネットワークノード（１６６０）。
【請求項２７】
無線通信ネットワークの複数のユーザ機器（ＵＥ）（１１１０）と通信するように設定されたネットワークノード（１６６０）であり、請求項１から１２のいずれか一項に記載の方法に対応する動作を実行するように構成された、ネットワークノード（１６６０）。
【請求項２８】
無線通信ネットワークのネットワークノード（１６６０）の処理回路（１６７０）により実行された場合に、請求項１から１２のいずれか一項に記載の方法に対応する動作を実行するように前記ネットワークノードを設定するコンピュータ実行可能命令を格納した持続性コンピュータ可読媒体（１６８０）。
【請求項２９】
無線通信ネットワークのネットワークノード（１６６０）の処理回路（１６７０）により実行された場合に、請求項１から１２のいずれか一項に記載の方法に対応する動作を実行するように前記ネットワークノードを設定するコンピュータ実行可能命令を含むコンピュータプログラム製品。
【請求項３０】
無線通信ネットワークのネットワークノード（１６６０）と通信するように設定されたユーザ機器（ＵＥ）（１６１０）であって、
請求項１３から２４のいずれか一項に記載の方法に対応する動作を実行するように設定された処理回路（１６２０）と、
前記ＵＥに電力を供給するように設定された電源回路（１６３７）と、
を備えた、ユーザ機器（ＵＥ）（１６１０）。
【請求項３１】
前記処理回路（１６２０）に動作可能に結合され、前記ネットワークノードと通信するように設定された送受信回路（１６２２）をさらに備えた、請求項３０に記載のＵＥ（１６１０）。
【請求項３２】
無線通信ネットワークのネットワークノード（１６６０）と通信するように設定されたユーザ機器（ＵＥ）（１６１０）であり、請求項１３から２４のいずれか一項に記載の方法に対応する動作を実行するように構成された、ＵＥ（１６１０）。
【請求項３３】
無線通信ネットワークのネットワークノード（１６６０）と通信するように構成されたユーザ機器（ＵＥ）（１６１０）の処理回路（１６２０）により実行された場合に、請求項１３から２４のいずれか一項に記載の方法に対応する動作を実行するように前記ＵＥを設定するコンピュータ実行可能命令を格納した持続性コンピュータ可読媒体（１６３０）。
【請求項３４】
無線通信ネットワークのネットワークノード（１６６０）と通信するように構成されたユーザ機器（ＵＥ）（１６１０）の処理回路（１６２０）により実行された場合に、請求項１３から２４のいずれか一項に記載の方法に対応する動作を実行するように前記ＵＥを設定するコンピュータ実行可能命令を含むコンピュータプログラム製品。
【発明の詳細な説明】
【技術分野】
【０００１】
本開示の実施形態は、一般に、無線通信ネットワークに関し、詳細には、無線通信ネットワークにおけるデータの送信および／または受信の改良に関する。
【背景技術】
【０００２】
一般的に、本明細書において使用する用語はすべて、使用の文脈による異なる意味の明らかな付与および／または暗示のない限り、関連する技術分野における通常の意味に従って解釈されるものとする。別段の明示的な記述のない限り、要素、装置、構成要素、手段、ステップ等に対するすべての言及が、当該要素、装置、構成要素、手段、ステップ等の少なくとも１つの例に対する言及としてオープンに解釈されるものとする。本明細書に開示の如何なる方法および／または手順のステップも、あるステップが別のステップに後続もしくは先行するものとする明示的な記載ならびに／またはあるステップが別のステップに後続もしくは先行する必要がある旨の暗示のない限り、開示の厳密な順序で実行する必要はない。本明細書に開示の実施形態のいずれかの如何なる特徴も、必要に応じて、その他任意の実施形態に適用可能である。同様に、実施形態のいずれかの如何なる利点も、その他任意の実施形態に適用可能であり、その逆もまた同様である。本明細書の実施形態の他の目的、特徴、および利点についても、以下の説明から明らかとなるであろう。
【０００３】
ロングタームエボリューション（ＬＴＥ）は、第３世代パートナーシッププロジェクト（３ＧＰＰ）内で開発され、最初はリリース８および９にて標準化された、いわゆる第４世代（４Ｇ）無線アクセス技術の総称であり、エボルブドＵＴＲＡＮ（Ｅ−ＵＴＲＡＮ）としても知られている。ＬＴＥは、米国における７００ＭＨｚ帯を含めて、さまざまなライセンス周波数帯を対象としている。ＬＴＥは、エボルブドパケットコア（ＥＰＣ）ネットワークを含むシステムアーキテクチャエボリューション（ＳＡＥ）と一般的に称する非無線態様の改良を伴う。ＬＴＥは、後続のリリースへと進化し続ける。リリース１１の特徴の１つとして、エンハンスト物理ダウンリンク制御チャネル（ｅＰＤＣＣＨ）があるが、これは、容量の増大、制御チャネルリソースの空間的再利用の改善、セル間干渉協調（ＩＣＩＣ）の改善、ならびに制御チャネルのアンテナビームフォーミングおよび／もしくは送信ダイバーシティのサポートを目的とする。
【０００４】
ＬＴＥ  ＰＨＹの多重アクセス方式は、ダウンリンクにサイクリックプレフィックス（ＣＰ）を伴う直交周波数分割多重（ＯＦＤＭ）およびアップリンクにサイクリックプレフィックスを伴うシングルキャリア周波数分割多重アクセス（ＳＣ−ＦＤＭＡ）に基づく。ペアードおよびアンペアードスペクトルでの送信をサポートするため、ＬＴＥ  ＰＨＹは、周波数分割複信（ＦＤＤ）（全二重および半二重の両動作を含む）および時分割複信（ＴＤＤ）の両者をサポートする。図１は、ＦＤＤダウンリンク（ＤＬ）動作に用いられる無線フレーム構造を示している。無線フレームは、持続時間が１０ｍｓに固定されており、持続時間がそれぞれ０．５ｍｓに固定された０〜１９と表示の２０個のスロットから成る。１ｍｓのサブフレームが２つの連続するスロットを含み、サブフレームｉがスロット２ｉおよび２ｉ＋１から成る。例示的なダウンリンクスロットはそれぞれ、ＮＤＬｓｙｍｂ個のＯＦＤＭシンボルから成り、それぞれがＮｓｃ個のＯＦＤＭサブキャリアで構成される。ＮＤＬｓｙｍｂの例示的な値として、サブキャリア間隔（ＳＣＳ）が１５ｋＨｚの場合は、７（通常のＣＰ）または６（拡張されたＣＰ）が可能である。Ｎｓｃの値は、利用可能なチャネル帯域幅に基づいて設定可能である。当業者であれば、ＯＦＤＭの原理に精通しているため、本明細書ではこれ以上詳しく説明しない。例示的なアップリンクスロットについても図１と同様に設定可能であるが、ＮＵＬｓｙｍｂ個のＯＦＤＭシンボルを含み、それぞれがＮｓｃ個のＯＦＤＭサブキャリアで構成される。
【０００５】
図１に示すように、特定のシンボルにおける特定のサブキャリアの組合せは、リソースエレメント（ＲＥ）として知られている。各ＲＥは、当該ＲＥに使用される変調の種類および／またはビットマッピング信号点配置に応じて、特定数のビットを送信するのに用いられる。たとえば、一部のＲＥがＱＰＳＫ変調によって２つのビットを搬送する一方、他のＲＥは、１６−ＱＡＭまたは６４−ＱＡＭを使用して、それぞれ４つまたは６つのビットを搬送するようにしてもよい。また、ＬＴＥ  ＰＨＹの無線リソースについても、物理リソースブロック（ＰＲＢ）の観点で規定されている。ＰＲＢは、１スロット（すなわち、ＮＤＬｓｙｍｂ個のシンボル）の持続時間にわたってＮＲＢｓｃ個のサブキャリアに及ぶが、ＮＲＢｓｃは通常、１２（１５ｋＨｚのＳＣＳ）または２４（７．５ｋＨｚのＳＣＳ）である。１サブフレーム（すなわち、２ＮＤＬｓｙｍｂ個のシンボル）全体において同じＮＲＢｓｃ個のサブキャリアに及ぶＰＲＢは、ＰＲＢペアとして知られている。したがって、ＬＴＥ  ＰＨＹダウンリンクのサブフレームにおいて利用可能なリソースには、ＮＤＬＲＢ個のＰＲＢペアを含み、それぞれが２ＮＤＬｓｙｍｂ・ＮＲＢｓｃ個のＲＥを含む。通常のＣＰで１５ｋＨｚのＳＣＳの場合、ＰＲＢペアは、１６８個のＲＥを含む。１５ｋＨｚのＳＣＳで「通常」のＣＰの設定は、ヌメロロジμと称することが多い。
【０００６】
ＰＲＢの例示的な特性として、連番のＰＲＢ（たとえば、ＰＲＢｉおよびＰＲＢｉ＋１）がサブキャリアの連続ブロックを含む点が挙げられる。たとえば、通常のＣＰで１５ｋＨｚのサブキャリア帯域幅の場合は、ＰＲＢ０がサブキャリア０〜１１を含む一方、ＰＲＢ１がサブキャリア１２〜２３を含む。また、ＬＴＥ  ＰＨＹリソースは、仮想リソースブロック（ＶＲＢ）の観点でも規定可能であり、これは、ＰＲＢと同サイズである一方、局在型または分散型が考えられる。局在ＶＲＢは、ＶＲＢｎＶＲＢがＰＲＢに対応する（ｎＰＲＢ＝ｎＶＲＢ）ように、ＰＲＢに対して直接マッピング可能である。一方、分散ＶＲＢは、３ＧＰＰ技術仕様書（ＴＳ）３６．２１４  Ｖ１５．０．０における記載あるいは当業者による把握の通り、さまざまなルールに従って、不連続ＰＲＢに対してマッピング可能である。ただし、本開示において、用語「ＰＲＢ」は、物理および仮想の両リソースブロックの言及に使用するものとする。さらに、用語「ＰＲＢ」はこれ以降、別段の指定のない限り、１サブフレーム（すなわち、ＰＲＢペア）の持続時間のリソースブロックの言及に使用する。
【０００７】
上述の通り、ＬＴＥ  ＰＨＹは、図１に示すリソースに対して、さまざまなダウンリンクおよびアップリンク物理チャネルをマッピングする。たとえば、ＰＤＣＣＨは、スケジューリング配分、アップリンクチャネルのチャネル品質フィードバック（たとえば、ＣＳＩ）、および他の制御情報を搬送する。同様に、物理アップリンク制御チャネル（ＰＵＣＣＨ）は、スケジューリングリクエスト、ダウンリンクチャネルのＣＳＩ、ハイブリッドＡＲＱフィードバック、および他の制御情報等のアップリンク制御情報を搬送する。ＰＤＣＣＨおよびＰＵＣＣＨはいずれも、１つまたは複数の連続する制御チャネルエレメント（ＣＣＥ）のアグリゲーション上で送信され、それぞれが複数のＲＥで構成されたリソースエレメントグループ（ＲＥＧ）に基づいて、図１に示す物理リソースに対してＣＣＥがマッピングされる。たとえば、ＣＣＥは、それぞれが４つのＲＥで構成された９つのＲＥＧで構成されていてもよい。
【０００８】
ＬＴＥは主として、ユーザ間通信用に設計されているが、５Ｇ（「ＮＲ」とも称する）セルラーネットワークは、単一ユーザの高データレート（たとえば、１Ｇｂ／ｓ）および周波数帯域幅を共有する多くの異なるデバイスからの短いバースト送信を伴う大規模なマシン間通信の両者をサポートすることを想定している。５Ｇ無線規格（「新無線（Ｎｅｗ  Ｒａｄｉｏ）」または「ＮＲ」とも称する）は現在、ｅＭＢＢ（エンハンストモバイルブロードバンド）およびＵＲＬＬＣ（超高信頼性低遅延通信）を含む広範なデータサービスを対象としている。これらのサービスは、異なる要件および目的を有する可能性がある。たとえば、ＵＲＬＬＣは、極めて厳格なエラーおよびレイテンシ要件（たとえば、１０−５以下という低さのエラー確率および１ｍｓ（以下）のエンド・ツー・エンドレイテンシ）のデータサービスの提供を意図している。ｅＭＢＢの場合、レイテンシおよびエラー確率の要件はそれほど厳しくないものの、サポートするピークレートおよび／またはスペクトル効率は、高くすることを求められる可能性がある。
【０００９】
リリース１５（Ｒｅｌ−５）ＮＲにおいて、ＵＥには、単一のダウンリンクキャリア帯域幅部分（ＢＷＰ）が任意所与の時間にアクティブな状態で、ダウンリンク（ＤＬ）に最大４つのキャリアＢＷＰを設定可能である。同様に、ＵＥには、単一のアップリンクキャリアＢＷＰが所与の時間にアクティブな状態で、アップリンクに最大４つのキャリアＢＷＰを設定可能である。また、ＵＥは、補足アップリンクが設定されている場合、単一の補足アップリンクＢＷＰ部分が所与の時間にアクティブな状態で、補足アップリンクに最大４つの補足キャリアＢＷＰを設定可能である。
【００１０】
ＮＲにおいて、キャリアＢＷＰ（たとえば、アクティブＢＷＰ）には、最大２７５個のＲＢを設定可能である。ＬＴＥと同様に、ＮＲリソースブロック（ＲＢ）（「周波数領域ＲＢ」とも称する）は、周波数領域における
2021508958.tif 000003
個の連続するサブキャリアとして定義される。ＰＤＳＣＨの受信またはＰＵＳＣＨの送信を行うようにＵＥをスケジューリングする場合、ネットワークは、アクティブＢＷＰ内の特定の周波数領域リソース（すなわち、ＲＢまたはＲＢグループ（ＲＢＧとも称する））を割り当てる必要がある。ＬＴＥに関して上述した通り、この割り当ては、ＰＤＣＣＨを介して送られるＤＣＩを用いて実行される。ただし、ＤＣＩのサイズが厳格に制限されていることから、アクティブＢＷＰ内のリソース割り当てのシグナリングに利用可能なビット数がアクティブＢＷＰ中のＲＢ数と整合しない状況が起こり得る。たとえば、利用可能なビット数は、さまざまな開始位置および長さを含めて、アクティブＢＷＰ中のＲＢ割り当ての関連する全組合せをＵＥにシグナリングおよび／または指示するのには不十分となり得る。以上から、（たとえば、ＬＴＥのように）周波数領域リソース配分をシグナリングする従来の手法は、不適切である。
【発明の概要】
【００１１】
したがって、本開示の例示的な実施形態は、周波数領域リソース割り当てをシグナリングする（たとえば、ＬＴＥの）既存技術の欠点に対処することにより、他の点で有利なＮＲソリューションの展開を可能にする。
【００１２】
このような例示的な実施形態には、無線通信ネットワークのネットワークノードが、ユーザ機器（ＵＥ）に対して、前述のＰＤＳＣＨまたはＰＵＳＣＨ等、１つまたは複数の別のＵＥと共有される通信チャネルの周波数領域リソースを配分する方法および／または手順を含み得る。これらの例示的な方法および／または手順は、共有チャネルを介した通信に使用可能なアクティブキャリア帯域幅部分（ＢＷＰ）の指標をＵＥに送信することを含み得る。また、これらの例示的な方法および／または手順は、ＵＥに配分されるアクティブＢＷＰ内の１つまたは複数の周波数領域リソースブロック（ＲＢ）を選択することを含み得る。また、これらの例示的な方法および／または手順は、複数の利用可能なビットを用いて、１つまたは複数の選択ＲＢの指標を符号化することであり、複数の利用可能なビットが、アクティブＢＷＰ内のＲＢのすべての配分可能な組合せの符号化に不十分である、１つまたは複数の選択ＲＢの指標を符号化することを含み得る。また、これらの例示的な方法および／または手順は、ダウンリンク制御チャネルを介して、符号化指標をＵＥに送信することを含み得る。また、これらの例示的な方法および／または手順は、選択ＲＢを用いて、データを送信または受信することを含み得る。
【００１３】
例示的な実施形態は、ユーザ機器（ＵＥ）が、無線通信ネットワークのネットワークノードから、１つまたは複数の別のＵＥと共有される通信チャネルの周波数領域リソースの配分を受信する方法および／または手順を含み得る。これらの例示的な方法および／または手順は、共有チャネルを介した通信に使用可能なアクティブキャリア帯域幅部分（ＢＷＰ）の指標をネットワークノードから受信することを含み得る。また、これらの例示的な方法および／または手順は、ダウンリンク制御チャネルを介して、アクティブＢＷＰ内の１つまたは複数の配分周波数領域リソースブロック（ＲＢ）の指標を受信することであり、指標が、アクティブＢＷＰ内のＲＢのすべての配分可能な組合せの符号化に不十分な複数のビットで符号化される、アクティブＢＷＰ内の１つまたは複数の配分周波数領域ＲＢの指標を受信することを含み得る。また、これらの例示的な方法および／または手順は、指標を復号化して、アクティブＲＢ内の１つまたは複数の配分ＲＢを取得することを含み得る。また、これらの例示的な方法および／または手順は、配分ＲＢを用いて、データを送信または受信することを含み得る。
【００１４】
また、例示的な実施形態は、上述の例示的な方法および／または手順の動作を実行するように設定されたネットワークノード（たとえば、基地局、ｇＮＢ、ｅＮＢ、ｅｎ−ｇＮＢ、ｎｇ−ｅＮＢ等、もしくはその構成要素）またはユーザ機器（ＵＥ）（たとえば、無線デバイス、ＩｏＴデバイス、モデム等、もしくはその構成要素）を含む。また、例示的な実施形態は、このようなネットワークノードまたはＵＥの処理回路により実行された場合に、本明細書に記載の任意の動作または手順に対応する動作を実行するようにネットワークノードまたはＵＥを設定するコンピュータ実行可能命令を格納した持続性コンピュータ可読媒体を含む。また、例示的な実施形態は、このような実行可能命令を含むコンピュータプログラム製品を含む。
【００１５】
リソース配分のシグナリングに利用可能なビットのより効率的な使用によって、上記および他の例示的な実施形態によれば、ＮＲにおける物理ダウンリンク制御チャネル（ＰＤＣＣＨ）の使用効率を向上可能であり、その結果、リソース配分のレイテンシが改善されるとともに、特定のＰＤＣＣＨリソースを利用可能なＵＥ数が増大する。他の例示的な利益として、ネットワークのレイテンシの低減により、エンドユーザの性能または体感品質が向上する。他の例示的な利益として、ハードウェア要件の低減（たとえば、プロセッサ数およびメモリ数の低減）により、ネットワーク展開コストが低減し、かつハードウェア構成要素の製造、輸送、設置等による環境への影響が抑えられる。
【図面の簡単な説明】
【００１６】
【図１】周波数分割複信（ＦＤＤ）動作に用いられる例示的なダウンリンクおよびアップリンクＬＴＥ無線フレーム構造のブロック図である。
【図２】ＮＲスロットの例示的な時間−周波数リソースグリッドを示す図である。
【図３】種々の例示的なＮＲスロット設定を示す図である。
【図４】ＮＲの例示的なキャリア帯域幅部分（ＢＷＰ）設定を示す図である。
【図５】開始仮想リソースブロックおよび長さの関数としての例示的なリソース指標値（ＲＩＶ）を示す図である。
【図６】本開示の一実施形態に係る、例示的なＲＩＶ符号化設定を示す図である。
【図７】本開示の一実施形態に係る、例示的なＲＩＶ符号化設定を示す図である。
【図８】本開示の一実施形態に係る、例示的なＲＩＶ符号化設定を示す図である。
【図９】本開示の一実施形態に係る、例示的なＲＩＶ符号化設定を示す図である。
【図１０】本開示の一実施形態に係る、例示的なＲＩＶ符号化設定を示す図である。
【図１１】本開示の一実施形態に係る、例示的なＲＩＶ符号化設定を示す図である。
【図１２】本開示の一実施形態に係る、例示的なＲＩＶ符号化設定を示す図である。
【図１３】本開示の一実施形態に係る、例示的なＲＩＶ符号化設定を示す図である。
【図１４】本開示の種々の例示的な実施形態に係る、ネットワークノード（たとえば、基地局、ｇＮＢ、ｅＮＢ、ｅｎ−ｇＮＢ、ｎｇ−ｅＮＢ等、もしくはその構成要素）の例示的な方法および／または手順のフロー図である。
【図１５】本開示の種々の例示的な実施形態に係る、ユーザ機器（ＵＥ）（たとえば、無線デバイス、ＩｏＴデバイス、モデム等、もしくはその構成要素）の例示的な方法および／または手順のフロー図である。
【図１６】本明細書に記載の種々の態様に係る、無線ネットワークの例示的な一実施形態を示す図である。
【図１７】本明細書に記載の種々の態様に係る、ＵＥの例示的な一実施形態を示す図である。
【図１８】本明細書に記載のネットワークノードの種々の実施形態の実装に使用できる例示的な仮想化環境を示すブロック図である。
【図１９】本明細書に記載の一態様に係る、例示的な通信システムおよび／またはネットワークのブロック図である。
【図２０】本明細書に記載の一態様に係る、例示的な通信システムおよび／またはネットワークのブロック図である。
【図２１】たとえば図１９および図２０に示す例示的な通信システムおよび／またはネットワークにおいて実現可能なユーザデータの送信および／または受信のための例示的な方法および／または手順のフロー図である。
【図２２】たとえば図１９および図２０に示す例示的な通信システムおよび／またはネットワークにおいて実現可能なユーザデータの送信および／または受信のための例示的な方法および／または手順のフロー図である。
【図２３】たとえば図１９および図２０に示す例示的な通信システムおよび／またはネットワークにおいて実現可能なユーザデータの送信および／または受信のための例示的な方法および／または手順のフロー図である。
【図２４】たとえば図１９および図２０に示す例示的な通信システムおよび／またはネットワークにおいて実現可能なユーザデータの送信および／または受信のための例示的な方法および／または手順のフロー図である。
【発明を実施するための形態】
【００１７】
以下、添付の図面を参照して、上記概説の例示的な実施形態をより詳しく説明する。これらの説明は、主題を当業者に説明する例として提供するに過ぎず、主題の範囲を本明細書に記載の実施形態のみに限定するものと解釈すべきではない。より具体的には、上述の利点に係る種々の実施形態の動作を示す例を以下に提供する。
【００１８】
前述の通り、ＰＤＣＣＨのＤＣＩのサイズが厳格に制限されていることから、ＵＥのアクティブＢＷＰ内の周波数領域リソース割り当てのシグナリングに利用可能なビット数がアクティブＢＷＰ中のＲＢ数と整合しない状況が起こり得る。たとえば、利用可能なビット数は、さまざまな開始位置および長さを含めて、アクティブＢＷＰ中のＲＢ割り当ての関連する全組合せをＵＥにシグナリングおよび／または指示するのには不十分となり得る。以下、これについてより詳しく論じる。
【００１９】
図２は、ＮＲスロットの例示的な時間−周波数リソースグリッドを示している。図２に示すように、リソースブロック（ＲＢ）は、１４シンボルスロットの持続時間にわたる１２個の隣接するＯＦＤＭサブキャリア群から成る。ＬＴＥと同様に、リソースエレメント（ＲＥ）は、１つのシンボルにおいて１つのサブキャリアから成る。共通ＲＢ（ＣＲＢ）は、０からシステム帯域幅の最後までナンバリングされている。ＵＥに対して設定された各ＢＷＰは、特定の設定ＢＷＰがゼロより大きなＣＲＢで開始となり得るように、ＣＲＢ  ０という共通基準を有する。このように、ＵＥには、狭いＢＷＰ（たとえば、１０ＭＨｚ）および広いＢＷＰ（たとえば、１００ＭＨｚ）を設定可能であり、それぞれが特定のＣＲＢで開始となるが、所与の時点でＵＥに対してアクティブとなり得るＢＷＰは１つしかない。
【００２０】
ＢＷＰにおいて、ＲＢは、０から
2021508958.tif 000004
までの周波数領域内に限定およびナンバリングされている。ただし、ｉは、キャリアの特定のＢＷＰの添え字である。ＬＴＥと同様に、各ＮＲリソースエレメント（ＲＥ）は、１つのＯＦＤＭシンボルインターバル中の１つのＯＦＤＭサブキャリアに対応する。ＮＲにおいては、さまざまなＳＣＳ値（ヌメロロジと称する）がサポートされ、Δｆ＝（１５×２α）ｋＨｚ（ただし、α∈（０，１，２，３，４））により与えられる。また、ＬＴＥにおいては、Δｆ＝１５ｋＨｚという基本（または、基準）サブキャリア間隔も用いられる。スロット長は、１／２αｍｓと一致するサブキャリア間隔またはヌメロロジと逆相関する。たとえば、Δｆ＝１５ｋＨｚの場合は、サブフレーム当たり１つの（１ｍｓ）スロットが存在し、Δｆ＝３０ｋＨｚの場合は、サブフレーム当たり２つの０．５ｍｓスロットが存在し、以下同様である。また、ＲＢ帯域幅は、２α＊１８０ｋＨｚと一致するヌメロロジと直接相関する。
【００２１】
以下の表１は、サポートされるＮＲ送信ヌメロロジおよび関連するパラメータをまとめたものである。ネットワークによって、異なるＤＬおよびＵＬヌメロロジを設定可能である。
2021508958.tif 000005
【００２２】
ＮＲスロットには、通常のサイクリックプレフィックスを伴う１４個のシンボルと、拡張されたサイクリックプレフィックスを伴う１２個のシンボルとを含み得る。図３Ａは、１４個のＯＦＤＭシンボルを含む例示的なＮＲスロット設定を示しており、スロットおよびシンボル持続時間をそれぞれＴｓおよびＴｓｙｍｂで示す。また、ＮＲには、「ミニスロット」としても知られるタイプＢのスケジューリングを含む。これらは、スロットよりも短く、通常、１シンボルからスロット中のシンボル数未満までの範囲であり（たとえば、６または１３）、スロットの任意のシンボルで開始となり得る。スロットの送信持続時間が長すぎる場合および／または次のスロット開始の発生（スロット整列）が遅すぎる場合には、ミニスロットを使用可能である。ミニスロットの適用には、アンライセンススペクトルおよびレイテンシクリティカル送信（たとえば、ＵＲＬＬＣ）を含む。ただし、ミニスロットはサービス固有ではなく、ｅＭＢＢ等のサービスにも使用可能である。
【００２３】
ＬＴＥと同様に、ＮＲデータスケジューリングは、スロット単位で行われる。各スロットにおいて、ダウンリンクデータスケジューリングの場合は、当該スロットにおいてデータを受信するようにスケジューリングされたＵＥおよび当該データを搬送するＲＢを示すダウンリンク制御情報（ＤＣＩ）を基地局（たとえば、ｇＮＢ）がＰＤＣＣＨ経由で送信する。ＵＥはまず、ＤＣＩを検出して復号化し、それに成功した場合は、復号化したＤＣＩに基づいて対応するＰＤＳＣＨを復号化する。同様に、ＤＣＩには、スロットにおいてデータを送信するようにスケジューリングされたＵＥおよびデータを搬送するＲＢを示すＵＬグラントを含み得る。ＵＥはまず、ＰＤＣＣＨからアップリンクグラント復号化し、それに成功した場合は、グラントが示すリソース上で対応するＰＵＳＣＨを送信する。ＰＵＳＣＨのＵＬグラントの伝達にはＤＣＩフォーマット０＿０および０＿１が用いられる一方、ＰＤＳＣＨスケジューリングの伝達にはＤＣＩフォーマット１＿０および１＿１が用いられる。スロットフォーマット情報、予約リソース、送信電力制御情報等の送信を含む他の目的には、他のＤＣＩフォーマット（２＿０、２＿１、２＿２、および２＿３）が用いられる。
【００２４】
スケジューリングされたＰＤＳＣＨ送信の変調次数、目標コードレート、およびトランスポートブロックサイズを決定するため、ＵＥはまず、ＤＣＩ（たとえば、フォーマット１＿０または１＿１）の５ビット変調およびコード化方式フィールド（ＩＭＣＳ）を読み、３ＧＰＰ  ＴＳ３８．２１４  Ｖ１５．０．０  第５．１．３．１項に規定の手順に基づいて、変調時数（Ｑｍ）および目標コードレート（Ｒ）を決定する。その後、ＵＥは、ＤＣＩの冗長バージョンフィールド（ｒｖ）を読んで、冗長バージョンを決定する。この情報に基づき、レイヤ数（ν）およびレートマッチング前の割り当てＰＲＢ総数（ｎＰＲＢ）と併せて、ＵＥは、３ＧＰＰ  ＴＳ３８．２１４  Ｖ１５．０．０  第５．１．３．２項に規定の手順に従って、ＰＤＳＣＨのトランスポートブロックサイズ（ＴＢＳ）を決定する。
【００２５】
ＮＲにおいては、ＤＬのセミパーシステントなスケジューリングを設定することも可能であり、ＰＤＳＣＨの送信周期性がＲＲＣにより設定された後、このような送信の開始および停止がＤＣＩにより制御される。この技術は、制御シグナリングのオーバヘッドを低減可能である。類似のＵＬスケジューリング機能も存在しており、設定グラント（ＣＧ）と称する。
【００２６】
ＮＲスロットにおいては、ＰＤＣＣＨチャネルが特定数のシンボルおよび特定数のサブキャリアに限定されるが、この領域は、制御リソースセット（ＣＯＲＥＳＥＴ）と称する。ＣＯＲＥＳＥＴは、３ＧＰＰ  ＴＳ３８．２１１  Ｖ１５．０．０  第７．３．２．２項において詳しく規定される通り、周波数領域の複数のＲＢ（すなわち、１２ＲＥの倍数）および時間領域の１つ、２つ、または３つのＯＦＤＭシンボルで構成される。ＣＯＲＥＳＥＴは、ＬＴＥサブフレームにおける制御領域と機能的に類似する。ただし、相違点として、ＮＲでは、各ＲＥＧがＲＢの１つのＯＦＤＭシンボルの１２個のＲＥから成るのに対して、ＬＴＥ  ＲＥＧは、上述の通り、４つのＲＥしか含まない。ＬＴＥと同様に、ＣＯＲＥＳＥＴの時間領域のサイズは、物理制御フォーマットインジケータチャネル（ＰＣＦＩＣＨ）によって指定可能である。ＬＴＥにおいては、制御領域の周波数帯域幅が固定されている（すなわち、システムの総帯域幅に固定されている）一方、ＮＲにおいては、ＣＯＲＥＳＥＴの周波数帯域幅が可変である。ＣＯＲＥＳＥＴリソースは、ＲＲＣシグナリングによってＵＥに示すことができる。
【００２７】
図３Ｂは、サブキャリア間隔が１５ｋＨｚの例示的なＮＲスロット構造を示している。この例示的な構造において、最初の２つのシンボルは、ＰＤＣＣＨを含み、その他の１２個のシンボルはそれぞれ、物理データチャネル（ＰＤＣＨ）すなわちＰＤＳＣＨまたはＰＵＳＣＨを含む。ただし、ＣＯＲＥＳＥＴ設定に応じて、最初の２つのスロットは、必要に応じてＰＤＳＣＨ等の情報を搬送することも可能である。
【００２８】
キャリアＢＷＰ内のＰＲＢを含むＮＲ設定の一例を図４に示す。ヌメロロジμｉが所与のキャリアＢＷＰの場合、隣接する一組の物理リソースブロック（ＰＲＢ）は、０から
2021508958.tif 000006
までに限定されナンバリングされる。ただし、ｉは、キャリア帯域幅部分の添え字である。ＮＲにおいては、上記表１に記載のヌメロロジのうちの１つをキャリアＢＷＰそれぞれに設定可能である。
【００２９】
また、５Ｇ／ＮＲに対しては、３ＧＰＰ規格によりさまざまな物理チャネルが規定されている。ダウンリンク物理チャネルは、上位レイヤに由来する情報を搬送する一組のリソースエレメントに対応する。以下のＮＲダウンリンク（ＤＬ）物理チャネルが規定されている。
物理ダウンリンク共有チャネル（ＰＤＳＣＨ）
物理ブロードキャストチャネル（ＰＢＣＨ）
物理ダウンリンク制御チャネル（ＰＤＣＣＨ）
ＰＤＳＣＨは、ユニキャストダウンリンクデータ送信に用いられる主要な物理チャネルであるが、ＲＡＲ（ランダムアクセス応答）、特定のシステム情報ブロック（ＳＩＢ）、およびページング情報の送信にも用いられる。ＰＢＣＨは、ＵＥがネットワークへのアクセスに必要とする基本なシステム情報を搬送する。ＰＤＣＣＨは、ＰＤＳＣＨの受信およびアップリンクスケジューリンググラントによるＰＵＳＣＨ上の送信に必要なダウンリンク制御情報（ＤＣＩ）（主として、スケジューリング決定事項）の送信に用いられる。
【００３０】
アップリンク（ＵＬ）物理チャネルは、上位レイヤに由来する情報を搬送する一組のリソースエレメントに対応する。ＮＲには、以下のアップリンク物理チャネルが規定されている。
物理アップリンク共有チャネル（ＰＵＳＣＨ）
物理アップリンク制御チャネル（ＰＵＣＣＨ）
物理ランダムアクセスチャネル（ＰＲＡＣＨ）
ＰＵＳＣＨは、アップリンクにおいてＰＤＳＣＨに対応するものである。ＰＵＣＣＨは、ＨＡＲＱ応答、チャネル状態情報（ＣＳＩ）レポート等、ＵＥがアップリンク制御情報を送信するのに用いられる。ＰＲＡＣＨは、ランダムアクセスプリアンブル送信に用いられる。
【００３１】
一般的に、ＮＲのＵＥは、ＰＤＣＣＨにおいて搬送される検出ＤＣＩ中のリソース割り当てフィールドに基づいて、ＰＵＳＣＨまたはＰＤＳＣＨの周波数領域のＲＢ配分を決定することができる。ランダムアクセス手順においてＰＵＳＣＨがｍｓｇ３を搬送する場合、周波数領域リソース配分は、ＲＡＲに含まれるＵＬグラントを用いてシグナリングされる。ＮＲにおいては、ＰＵＳＣＨおよびＰＤＳＣＨに対して２つの周波数リソース割り当て方式（タイプ０およびタイプ１）がサポートされている。ＰＵＳＣＨ／ＰＤＳＣＨ送信に用いる特定のタイプは、ＲＲＣ設定パラメータによる規定または（タイプ１が用いられる）ＲＡＲ中の対応するＤＣＩもしくはＵＬグラントにおける直接指定がなされる。
【００３２】
アップリンク／ダウンリンクのタイプ０およびタイプ１のリソース割り当てに対するＲＢのインデックス化は、ＵＥのアクティブキャリア帯域幅部分内で決定され、ＵＥは、当該ＵＥを対象としたＰＤＣＣＨの検出に際して、アップリンク／ダウンリンクキャリア帯域幅部分を最初に決定した後、キャリア帯域幅部分内のリソース割り当てを決定するものとする。ＰＵＳＣＨがｍｓｇ３を搬送する場合のＵＬ  ＢＷＰは、上位レイヤのパラメータにより設定される。タイプ０のリソース割り当てにおいて、周波数領域リソース配分情報には、スケジューリングされたＵＥに割り当てられるリソースブロックグループ（ＲＢＧ）を示すビットマップを含むが、このＲＢＧは、一組の連続する物理リソースブロックである。ＲＢＧのサイズは、２、４、８、または１６に設定可能である。
【００３３】
一方、リソース割り当てタイプ１において、周波数領域リソース配分情報は、開始仮想リソースブロック（ＲＢｓｔａｒｔ）および隣接割り当てリソースブロックの観点での長さ（ＬＲＢｓ）に対応するリソース指標値（ＲＩＶ）から成る。リソース指標値は、以下により規定される。
2021508958.tif 000007
の場合、
2021508958.tif 000008
その他の場合、
2021508958.tif 000009
ただし、ＬＲＢｓ≧１であり、
2021508958.tif 000010
を超えないものとし、
2021508958.tif 000011
は、対応するＢＷＰ中のＲＢ数である。
【００３４】
図５は、ＢＷＰが６ＲＢのＲＩＢ符号化の一例を示している。図中、各ボックスの数字は、コード化ＲＩＶに対応し、開始仮想リソースブロック（ＲＢｓｔａｒｔ）および長さ（ＬＲＢｓ）に対してマッピングされている。なお、図５において、コード化ＲＩＶ値と対応する開始仮想リソースブロック（ＲＢｓｔａｒｔ）との間のマッピングは、グラフノードを通って最下層に至る最も左側のラインに従う。たとえば、ＲＩＶ＝１３というコード化値は、添え字が１、２、および３の一組の割り当てＲＢに対応する。すなわち、ＲＢｓｔａｒｔ＝１およびＬＲＢｓ＝３である。別の例として、ＲＩＶ＝１０というコード化値は、添え字が４および５の一組の割り当てＲＢに対応する。すなわち、ＲＢｓｔａｒｔ＝４およびＬＲＢｓ＝２である。
【００３５】
すべての考え得るＲＩＶ値を示すのに必要なビット数は、以下により計算することができる。
2021508958.tif 000012
本例において、コード化ＲＩＶのすべての考え得る値すなわちすべての考え得る開始位置および長さを示すには、５つのビットが必要となる。
【００３６】
たとえば１つのＰＤＳＣＨコードワード送信の非常にコンパクトなスケジューリング用のＤＣＩフォーマット１Ｃにおけるタイプ２のリソースブロック配分フィールド、サブスロット／スロットベースのＰＤＳＣＨ送信用のＤＣＩフォーマット７−１Ａ／７−１Ｂ、およびサブスロット／スロットベースのＰＵＳＣＨ送信用のＤＣＩフォーマット７−０Ａ／７−０Ｂにおけるタイプ０のリソースブロック配分フィールド等、ＬＴＥ規格においては、量子化された開始仮想リソースブロック（ＲＢｓｔａｒｔ）および長さ（ＬＲＢｓ）で符号化されたＲＩＶに基づく周波数領域リソース配分のシグナリングがサポートされている。これらすべてのシグナリング方法の場合に、開始ＲＢ位置および長さに対しては、同じ量子化ステップサイズが仮定される。また、割り当て可能な最小長さがステップサイズに制限される（すなわち、１は不可能である）。
【００３７】
ＮＲにおいて、キャリア帯域幅部分には、最大２７５個のＲＢを設定可能である。この場合、周波数リソース割り当てタイプ０を使用する場合は、周波数領域リソース配分フィールドに少なくとも１８ビット必要となる（ＲＢＧサイズは１６に等しい）。リソース割り当てタイプ１が用いられる場合は、周波数領域リソース配分フィールドの数を１６ビットまで低減可能である。さらに、タイプ１のリソース割り当てのビット数は、リソース割り当てを適用すべきものとは別のＢＷＰに基づいて規定されるようになっていてもよい。同様に、他の制約のため、シグナリングのビット数は、ＰＤＳＣＨ／ＰＵＳＣＨの送信がスケジューリングされたアクティブＢＷＰにおける周波数領域リソース配分に対して十分でなくてもよい。また、一部の特殊な場合（たとえば、ランダムアクセス手順におけるｍｓｇ３送信）においては、開始ＲＢ位置および長さに対するＲＢ分解能の要件を異ならせることができる。
【００３８】
本開示の例示的な実施形態によれば、旧来および／または既存の周波数領域リソース割り当てシグナリング技術と関連する上述の問題が緩和、抑制、および／または除去される。たとえば、このような実施形態は、周波数領域リソース配分フィールドに利用可能なビット数がアクティブＢＷＰ中のＲＢ数と整合しない場合、ＰＵＳＣＨおよびＰＤＳＣＨの場合のＵＥに対するＮＲ周波数領域リソース割り当てをサポート可能である。このように、上記実施形態は、周波数領域におけるリソース割り当ての柔軟性を提供可能であるため、ＮＲサービスの希少なスペクトルリソースのより柔軟および／または効率的な使用を可能にする。
【００３９】
より具体的に、本開示の種々の例示的な実施形態では、開始仮想リソースブロック（ＲＢｓｔａｒｔ）および隣接割り当てリソースブロックの観点での長さ（ＬＲＢｓ）に対応するリソース指標値（ＲＩＶ）を用いることにより、ＰＵＳＣＨ／ＰＤＳＣＨ送信のＵＥの周波数領域リソース配分をシグナリング可能である。ＲＩＶを示すビット数は、ＰＵＳＣＨまたはＰＤＳＣＨの送信がスケジューリングされたＢＷＰ中のＲＢ数と整合しない。ここで、不整合は、ＲＩＶを示すビット数が
2021508958.tif 000013
と異なるものとして定義される。ただし、
2021508958.tif 000014
は、ＢＷＰ中のＲＢ数である。例示的な実施形態では、以下により詳しく説明するさまざまな方法において、ＵＥの周波数領域リソース配分をシグナリング可能である。
【００４０】
いくつかの例示的な実施形態（本明細書においては、「方法１ａ」とも称する）において、ＲＩＶは、すべての考え得る割り当て長
2021508958.tif 000015
をサポートするように定義され、開始仮想リソースブロック（ＲＢｓｔａｒｔ）の分解能（粒度）は、αＲＢである。図６および図７は、それぞれα＝２および３の場合の方法１ａに係るＲＶＩ符号化の例を示している。
【００４１】
方法１ａの例示的な実施形態に係るＲＩＶ符号化は、以下のように決定することができる。
2021508958.tif 000016
および
2021508958.tif 000017
と仮定して、
2021508958.tif 000018
を規定する。その後、以下の式に従ってＲＩＶを決定することができる。
2021508958.tif 000019
の場合、
2021508958.tif 000020
その他の場合、
2021508958.tif 000021
また、方法１ａの例示的な実施形態によれば、以下の式（１）および（２）によって、αの値を決定することができる。符号化ＲＩＶの数（Ｍ）は、
2021508958.tif 000022
であり、ＲＩＶのシグナリングのビット数がｂである場合は、以下を充足する必要がある。
2021508958.tif 000023
【００４２】
ｂの値を所与として、ＲＢの数（α）の観点での開始仮想リソースブロック（ＲＢｓｔａｒｔ）は、式（１）および（２）を用いて決定可能である。たとえば、
2021508958.tif 000024
のＢＷＰについて、周波数割り当てのビット数がｂ＝４の場合、開始ＲＢの分解能は、図６に示すように、α＝２となるように設計する必要がある。別の例において
2021508958.tif 000025
の同じＢＷＰについて、周波数割り当てのビット数がｂ＝３の場合、開始ＲＢの分解能は、図７に示すように、α＝３とする。
【００４３】
方法１ａに係る他の例示的な実施形態において、αの値は、
2021508958.tif 000026
により決定可能である。ただし、
2021508958.tif 000027
は、ＲＩＶを適用するＢＷＰのサイズであり、
2021508958.tif 000028
は、周波数割り当てに用いられるシグナリングビット数がサポートし得るＢＷＰのＲＩＶサイズまたは最大サイズの規定に用いられるＢＷＰのサイズである。
【００４４】
他の例示的な実施形態（本明細書においては、「方法１ｂ」とも称する）において、ＲＩＶは、すべての考え得る開始仮想リソースブロック
2021508958.tif 000029
をサポートするように定義され、割り当て長の分解能は、αＲＢ
2021508958.tif 000030
である。図８および図９は、
2021508958.tif 000031
およびα＝２の場合の方法１ｂに基づく異なるＲＩＶ符号化方式の２つの例を示している。
【００４５】
他の例示的な実施形態（本明細書においては、「方法２ａ」とも称する）において、ＲＩＶは、
2021508958.tif 000032
以下の柔軟な開始仮想リソースブロックおよび
2021508958.tif 000033
以上（ただし、
2021508958.tif 000034
）の長さをサポートするように決定される。図８は、方法２ａに係る、ＲＩＶの符号化に５つのビットを用いて、Ｌｍｉｎ＝３を用いることにより
2021508958.tif 000035
のＢＷＰの周波数領域リソース割り当てをサポートする様子を示している。この場合は、図８において、
2021508958.tif 000036
の場合の符号化と重ね合わされている。方法２ａの例示的な実施形態に係るＲＩＶ符号化は、以下のように決定することができる。
2021508958.tif 000037
および
2021508958.tif 000038
と仮定して、
2021508958.tif 000039
を規定する。その後、以下の式に従ってＲＩＶを決定することができる。
2021508958.tif 000040
の場合、
2021508958.tif 000041
その他の場合、
2021508958.tif 000042
【００４６】
また、方法２ａの例示的な実施形態によれば、以下の式（３）〜（５）によって、Ｌｍｉｎの値を決定することができる。符号化ＲＩＶの数（Ｍ）は、
2021508958.tif 000043
により決定される。ＲＩＶのシグナリングに利用可能なビット数がｂであると仮定するなら、以下の関係を充足する必要がある。
2021508958.tif 000044
このため、ｂの値を所与として、Ｌｍｉｎの値は、式（３）および（４）を用いて決定可能である。
2021508958.tif 000045
【００４７】
他の例示的な実施形態（本明細書においては、「方法２ｂ」とも称する）において、ＲＩＶは、
2021508958.tif 000046
以下の柔軟な開始仮想リソースブロックをサポートし、長さがＬｍａｘ以下（すなわち、ＬＲＢｓ＝１，２，・・・，Ｌｍａｘ）（ただし、
2021508958.tif 000047
）となるように決定される。ただし、
2021508958.tif 000048
は、ＲＩＶを適用するＢＷＰのサイズであり、
2021508958.tif 000049
は、周波数割り当てに用いられるシグナリングビット数がサポートし得るＢＷＰのＲＩＶサイズまたは最大サイズの規定に用いられるＢＷＰのサイズである。図９は、方法２ｂに係る、ＲＩＶの符号化に５つのビットを用いて、Ｌｍｉｎ＝６を用いることにより
2021508958.tif 000050
のＢＷＰの周波数領域リソース割り当てをサポートする様子を示している。この場合は、図９において、
2021508958.tif 000051
の場合の符号化と重ね合わされている。
【００４８】
方法２ｂの例示的な実施形態に係るＲＩＶ符号化は、以下のように決定することができる。
2021508958.tif 000052
およびＬＲＢｓ＝｛１，２，・・・，Ｌｍａｘ｝と仮定して、
2021508958.tif 000053
を規定する。その後、以下の式に従ってＲＩＶを決定することができる。
2021508958.tif 000054
の場合、
2021508958.tif 000055
その他の場合、
2021508958.tif 000056
【００４９】
また、方法２ｂの例示的な実施形態によれば、以下の式（６）〜（８）によって、Ｌｍａｘの値を決定することができる。符号化ＲＩＶの数（Ｍ）は、
2021508958.tif 000057
により決定される。ＲＩＶのシグナリングに利用可能なビット数がｂであると仮定するなら、以下の関係を充足する必要がある。
2021508958.tif 000058
このため、ｂの値を所与として、Ｌｍｉｎの値は、式（６）および（７）を用いて決定可能である。
2021508958.tif 000059
【００５０】
他の例示的な実施形態（本明細書においては、「方法３」とも称する）において、ＲＩＶは、ＬＴＥのリソース割り当てタイプ１に従って決定されるが、異なるパンクチャリングパターンは、一組のＲＢｓｔａｒｔおよびＬＲＢｓの組合せを除外するように設定されている。方法３に関する種々の例を以下に示すが、これらは、方法３と関連する原理の説明および理解の補助になることを意図しているに過ぎず、何ら限定的なものではない。
【００５１】
例示的な一実施形態において、標準的なＲＩＶ符号化を適用する場合のトランケーション／パディングビットの位置を示すパンクチャリングパターン設定フィールドは、周波数領域リソース割り当てのシグナリングに含まれ得る。たとえば、ＮＲについて現行規定の２７５ＰＲＢという最大数では、図５に示す周波数領域リソースの配分のための旧来／既存のタイプ１符号化を用いてＲＩＶ値を表すのに、１６個のビットを必要とする。代替として、２７５個のＲＢが設定されたＢＷＰにおける周波数領域リソース配分に１２個のビットが用いられる場合は、さまざまな構成において、１６個のビットのうちの４つをパンクチャリング可能である。
【００５２】
このようなパンクチャリングの例示的な一構成においては、１２個のビットのうちの２つの最上位ビットをパンクチャリングパターンの指定に使用可能である。たとえば、これらのビットは、値が「０」にセットされたｘ＝４つ（たとえば、ｘ＝１６−１２）の最上位ビットをｙ個のビットの後ろに挿入する場合等、さまざまパターンを示し得るとともに、標準的なＳＩＶ法に従って、拡張リソースブロック配分を解釈することができる。ｙの値は、２つのパターン指定ビットの値に応じて変化し得る。たとえば、ｙ＝２、４、８、１２は、それぞれパターン１、２、３、および４に対応し、２つの最上位ビットによって示され得る。
パターン１：００００  ００ＸＸ  ＸＸＸＸ  ＸＸＸＸ
パターン２：０１ＸＸ  ００００  ＸＸＸＸ  ＸＸＸＸ
パターン３：１０ＸＸ  ＸＸＸＸ  ００００  ＸＸＸＸ
パターン４：１１ＸＸ  ＸＸＸＸ  ＸＸＸＸ  ００００
【００５３】
別の例において、パンクチャリングとしては、所定のパターンが可能である。たとえば、値がゼロにセットされたｘ＝４つのＭＳＢは常に、ｙ＝１２個のビットの後ろに挿入される。この場合、所定のパターンは、ＸＸＸＸ  ＸＸＸＸ  ＸＸＸＸ  ００００である。別の例においては、１２個の周波数割り当てビットのうちのＮｈｏｐ個の最上位ビットを周波数ホッピングの指定に使用可能である。パンクチャリングパターン指定ビットは、Ｎｈｏｐ個の周波数ホッピングビットの後ろの２つのビットにより示すことができる。ｙ個のビットの後ろにパディングビットが挿入されるが、このｙの値は、ホッピングビットおよびパンクチャリングパターン指定ビットの両者に基づく。パンクチャリングパターンが上位レイヤによって予め規定または設定されている場合は、パンクチャリングパターンを指定するビットが（ＤＣＩ）において不要となり、ｙの値は、所定のパンクチャリングパターンおよび周波数ホッピング指定用のビット数に応じて変化し得る。
【００５４】
方法３に対応する他の例示的な実施形態において、パターン指定は、他の既知のパラメータ（たとえば、帯域幅部分のサイズの範囲）に応じて変化し得る。同様に、パターン指定ビットは、たとえばブロードキャストシステム情報メッセージ（たとえば、ＳＩＢ１）、ＳＩＢメッセージにおいて予め規定または提供された既存の指定に上書き可能なＵＥ固有の無線リソース制御（ＲＲＣ）メッセージ、スケジューリングＤＣＩまたはＲＡＲメッセージ中の他の予約フィールドまたはコードポイント等、さまざまな方法でＵＥに提供可能である。
【００５５】
他の例示的な実施形態（本明細書においては、「方法４」とも称する）において、ＲＩＶは、開始仮想リソースブロック（ＲＢｓｔａｒｔ）（たとえば、方法１ａに類似）または割り当て長ＬＲＢｓ（たとえば、方法１ｂに類似）に従って決定される。ただし、方法４に係る例示的な実施形態は、ＲＩＶサイズを規定するＢＷＰに基づく既存の標準的なＲＩＶ符号化を用いてＲＩＶが符号化される点において、方法１ａ／１ｂに係る例示的な実施形態と異なる。
【００５６】
より一般的に、方法４において、周波数領域リソース配分フィールドは、１）分解能がＫＳＲＢの開始仮想リソースブロック（ＲＢｓｔａｒｔ）および２）分解能がＫＬＲＢの仮想隣接割り当てリソースブロック長（ＬＲＢｓ）に対応するＲＩＶへと符号化可能である。ＲＩＶは、周波数領域リソース配分フィールドサイズを規定するＢＷＰに従って、既存の標準的なＲＩＶ符号化に基づいて符号化可能である。以下の非限定的な説明例において、周波数領域リソース配分フィールドは、ｂビットのサイズを有し、
2021508958.tif 000060
個のＲＢを伴う第１のＢＷＰに適用されるものと仮定する。たとえば、第１のＢＷＰとしては、ＵＥに対するアクティブＢＷＰが可能である。サイズｂは、
2021508958.tif 000061
個のＲＢを伴う第２のＢＷＰに対応する。すなわち、
2021508958.tif 000062
である。たとえば、第２のＢＷＰとしては、ＵＥに対する最初のＢＷＰ等、アクティブＢＷＰ以外のＢＷＰが可能である。
【００５７】
方法４の一群の例示的な実施形態において、ＲＢｓｔａｒｔの量子化値は０から開始となり、ＬＲＢｓの量子化値はＫＬから開始となる。言い換えると、ＲＩＶ符号化は、符号化されたＲＩＶが開始仮想リソースブロックＲＢｓｔａｒｔ＝（０，ＫＳ，２ＫＳ，・・・，ＲＢｓｔａｒｔ，ｍａｘ）およびＬＲＢｓ＝（ＫＬ，２ＫＬ，・・・，ＬＲＢｓ，ｍａｘ）に対応するようにする。ただし、
2021508958.tif 000063
【００５８】
５つのＲＢが設定された最初のＢＷＰ中の周波数領域リソース配分のシグナリングに４つのビットが割り当てられた例を図１０に示す。ＲＩＶは、標準的な符号化法に基づき、最初のＢＷＰに従って符号化可能である。６つのＲＢが設定された別のＢＷＰ中の周波数領域リソース配分に４つのビットを使用するため、２ＲＢの分解能を開始仮想リソースブロックに導入可能である。図１０のＲＩＶノード１、２、３、および１３は、無効な値である。すなわち、６つのＲＢのＢＷＰ中の周波数配分には使用できない。
【００５９】
図１１は、標準的な符号化法に基づき、３つのＲＢのＢＷＰに従ってＲＩＶが符号化される別の例を示している。得られる開始仮想ＲＢおよび長さは、６つのＲＢの別のＢＷＰの周波数割り当てに適用される場合、２倍となる。
【００６０】
上述の方法４の例示的な実施形態に係るＲＩＶ符号化は、以下のように決定することができる。ＲＢ’ｓｔａｒｔ＝ＲＢｓｔａｒｔ／ＫＳおよびＬ’ＲＢｓ＝ＬＲＢｓ／ＫＬを仮定する。その後、以下に従ってＲＩＶを決定可能である。
2021508958.tif 000064
の場合、
2021508958.tif 000065
の場合、
2021508958.tif 000066
その他の場合、
2021508958.tif 000067
その他の場合、
ＲＩＶ＝Ｉｎｖａｌｉｄ
終了
【００６１】
さらに、ＫＳおよびＫＬは、この方法４の一群の例示的な実施形態に対し、以下の定義に基づいて、さまざまな方法で（１以上のすべての整数値について）決定可能である。
2021508958.tif 000068
それにも関わらず、
2021508958.tif 000069
または／および
2021508958.tif 000070
の場合は、ＲＢｓｔａｒｔおよびＬＲＢｓの一部の考え得る量子化値がサポートされない場合もある。さらに、ＫＳおよびＫＬの値の最適化によって、ｂ個のシグナリングビットを効率的に使用すると同時に、所要の柔軟な周波数領域リソース配分を提供することができる。
【００６２】
方法４に対応するいくつかの例示的な実施形態において、ＫＳおよび／またはＫＬの値は、
2021508958.tif 000071
と
2021508958.tif 000072
との比に基づいて決定可能である。たとえば、ＫＳ＝ＫＬ＝Ｋの場合は、
2021508958.tif 000073
であり、関数ｆ（・）としては、最も近い整数に対する床、天井、丸め、または適当および／もしくは所望の結果を与えるために採用可能なその他任意の関数が可能である。
【００６３】
方法４に対応する他の例示的な実施形態において、ＫＬ＝１が必要な場合（たとえば、ペイロードサイズが小さなＰＵＳＣＨまたはＰＤＳＣＨ送信の場合）、ＫＳの値は、
2021508958.tif 000074
に基づいて決定可能であり、関数ｆ（・）としては、最も近い整数に対する床、天井、丸め、または適当および／もしくは所望の結果を与えるために採用可能なその他任意の関数が可能である。同様に、ＫＳ＝１の場合、ＫＬの値は、
2021508958.tif 000075
に基づいて決定される。
【００６４】
方法４に対応する他の例示的な実施形態においては、ＫＬ＝ＫＳ＝Ｋであり、Ｋの値を以下のように決定することができる。すべての量子化割り当て可能性がサポートされる場合、符号化ＲＩＶの数（Ｍ）は、以下により決定される。
2021508958.tif 000076
ＲＩＶのシグナリングに利用可能なビット数がｂであると仮定するなら、以下の関係を満足する必要がある。
2021508958.tif 000077
このため、ｂの値を所与として、ＲＢの数（Ｋ）の観点での開始仮想リソースブロックおよび長さは、式（９）および（１０）を用いて導出可能である。上記では、ダウンサンプリングがＲＢｓｔａｒｔ＝０およびＬＲＢｓ＝ＫＬで開始となることを仮定したが、異なるオフセット値を使用可能であり、わずかに異なる値／式が得られる。
【００６５】
方法４に対応する他の例示的な実施形態において、
2021508958.tif 000078
と
2021508958.tif 000079
との比が特定の閾値を下回る場合は、ＫＬ＝ＫＳ＝Ｋとなる。たとえば、
2021508958.tif 000080
の場合は、ＫＳ＝ＫＬ＝１となる。より大きなＢＷＰの場合は、近似によって、
2021508958.tif 000081
の場合、
2021508958.tif 000082
となる。ただし、この場合の特定の閾値は、
2021508958.tif 000083
である。
【００６６】
方法４に対応する他の例示的な実施形態において、
2021508958.tif 000084
と
2021508958.tif 000085
との差が特定の閾値を下回る場合は、ＫＬ＝ＫＳ＝１である。
【００６７】
方法４の別群の例示的な実施形態において、ＲＢｓｔａｒｔの量子化値は０から開始となり、ＬＲＢｓの量子化値は
2021508958.tif 000086
から開始となる。言い換えると、ＲＩＶ符号化は、符号化されたＲＩＶが開始仮想リソースブロックＲＢｓｔａｒｔ＝（０，ＫＳ，２ＫＳ，・・・，ＲＢｓｔａｒｔ，ｍａｘ）に対応するようにする。ただし、
2021508958.tif 000087
（
2021508958.tif 000088
）であり、最大値が以下のように表される。
2021508958.tif 000089
【００６８】
上述の方法４の例示的な実施形態に係るＲＩＶ符号化は、以下のように決定することができる。
2021508958.tif 000090
、
2021508958.tif 000091
、および
2021508958.tif 000092
を仮定する。その後、以下に従ってＲＩＶを決定可能である。
2021508958.tif 000093
の場合、
2021508958.tif 000094
の場合、
2021508958.tif 000095
その他の場合、
2021508958.tif 000096
その他の場合、
ＲＩＶ＝Ｉｎｖａｌｉｄ
終了
【００６９】
さらに、ＫＳおよびＫＬは、この方法４の一群の例示的な実施形態に対し、以下の定義に基づいて、さまざまな方法で（１以上のすべての整数値について）決定可能である。
2021508958.tif 000097
それにも関わらず、
2021508958.tif 000098
または／および
2021508958.tif 000099
の場合は、ＲＢｓｔａｒｔおよびＬＲＢｓの一部の考え得る量子化値がサポートされない場合もある。
【００７０】
たとえば、方法４に対応する一実施形態においては、ＫＬ＝ＫＳ＝Ｋであり、Ｋの値を以下のように決定することができる。すべての量子化割り当て可能性がサポートされる場合、符号化ＲＩＶの数（Ｍ）は、以下により決定される。
Ｍ＝（Ｎ’＋１）＊（Ｎ’）／２  （１１）
ただし、
2021508958.tif 000100
である。ＲＩＶのシグナリングに利用可能なビット数がｂであると仮定するなら、以下の関係を満足する必要がある。
2021508958.tif 000101
このため、ｂの値を所与として、ＲＢの数（Ｋ）の観点での開始仮想リソースブロックおよび長さは、式（１１）および（１２）を用いて導出可能である。また、この方法４の一群の実施形態について、ＫＳおよびＫＬを他の方法で決定することにより、ｂ個のシグナリングビットを効率的に使用すると同時に、方法４の他群の実施形態に関して上述したものを含めて、所要の柔軟な周波数領域リソース配分を提供することができる。
【００７１】
さらに、ＫＳおよびＫＬは、ＵＥに対するリソースの時間領域配分に基づき、この一群の実施形態に従ってさまざまな方法で決定することも可能である。一例として、ＫＬ＝ＫＳ＝ＫおよびＫの値は、以下により決定可能である。
2021508958.tif 000102
ただし、
2021508958.tif 000103
は、周波数割り当てが適用されるＢＷＰのサイズであり、
2021508958.tif 000104
は、１スロット時間のリソース割り当て（すなわち、１４個のＯＦＤＭシンボル）を仮定した周波数割り当てに用いられるシグナリングビット数がサポートし得るＢＷＰのＲＩＶサイズまたは最大サイズの規定に用いられるＢＷＰのサイズであり、
2021508958.tif 000105
である。ただし、Ｔは、ＯＦＤＭシンボルの数の観点での時間リソース割り当てであり、関数ｆ（・）としては、最も近い整数に対する床、天井、丸め、または適当および／もしくは所望の結果を与えるために採用可能なその他任意の関数が可能である。
【００７２】
別の例においては、ＫＬ＝１であり、ＫＳの値は、方法１ａに関して上述したαの値を決定する同じ方法または実質的に類似の方法に従って決定することができる（たとえば、
2021508958.tif 000106
である）。別の例においては、ＫＳ＝１であり、ＫＬの値は、方法１ａに関して上述したαの値を決定する同じ方法または実質的に類似の方法に従って決定することができる（たとえば、
2021508958.tif 000107
である）。別の例において、
2021508958.tif 000108
が閾値よりも小さい場合は、ＫＬ＝ＫＳ＝１である。
【００７３】
ＮＲについて周波数領域リソース割り当てを符号化する上記例は、説明を目的として非限定的に示している。当業者であれば、上記説明と合致する他の手法および／または変形を容易に想定し得る。たとえば、当業者であれば、上記符号化技術の１つまたは複数の組合せを採用可能であることが容易に理解されるであろう。同様に、当業者であれば、上記符号化方法において、さまざまな加算および／または乗算スケーリングファクタを使用可能であることが容易に理解されるであろう。たとえば、上述の技術のうちの１つ（または、組合せ）に係る符号化の実行に先立って、開始仮想リソースブロックおよび／または割り当て長にスケーリングファクタを適用することも可能である。さらに、第１の（たとえば、アクティブ）ＢＷＰおよび第２の（たとえば、最初の）ＢＷＰならびに第１のＢＷＰのＲＩＶサイズを用いて第２のＢＷＰのＲＩＶ符号化を規定する方法に関して実施形態を上述したが、このような実施形態は、第１のＲＩＶサイズ値を用いた第２のＢＷＰのＲＩＶの符号化と関連するより一般的な問題を解決するのにも適用可能であり、第１のＲＩＶサイズ値は、第２のＢＷＰの「自然」なＲＩＶサイズではない。
【００７４】
リソース配分のシグナリングに利用可能なビットのより効率的な使用によって、上記および他の例示的な実施形態によれば、ＮＲにおける物理ダウンリンク制御チャネル（ＰＤＣＣＨ）の使用効率を向上可能であり、その結果、共有リソース配分のレイテンシが改善されるとともに、特定のＰＤＣＣＨリソースを利用可能なＵＥ数が増大する。このような改善は、エンドユーザの性能および／またはユーザ体感の品質の向上として現れ得る。他の例示的な利益として、ハードウェア要件の低減（たとえば、プロセッサ数およびメモリ数の低減）により、ハードウェア構成要素のネットワーク展開コストおよび製造、輸送、設置等による環境への影響が抑えられる。
【００７５】
図１４は、本開示の種々の例示的な実施形態に係る、ユーザ機器（ＵＥ）に対して、１つまたは複数の別のＵＥと共有される通信チャネルの周波数領域リソースを配分する例示的な方法および／または手順を示している。この例示的な方法および／または手順は、無線通信ネットワークのネットワークノード（たとえば、基地局、ｇＮＢ、ｅＮＢ、ｅｎ−ｇＮＢ、ｎｇ−ｅＮＢ等、またはその構成要素）によって実行可能である。
【００７６】
図１４は、特定の順序に配置されたブロックを示しているが、この順序は例示であり、ブロックに対応する動作を異なる順序で実行可能であるとともに、組合せおよび／または分割によって、図１４の図示と異なる機能を有するブロックにすることも可能である。さらに、図１４に示す例示的な方法および／または手順は、図１５に示す例示的な方法および／または手順の補完とすることも可能である。言い換えると、図１４および図１５に示す例示的な方法および／または手順は、協調的な使用によって、上述の利益、利点、および／または問題の解決手段を提供可能である。任意選択としての動作は、破線で示す。
【００７７】
この例示的な方法および／または手順は、ブロック１４１０の動作を含み、ネットワークノードがＵＥに対して、共有チャネルを介した通信に使用可能なアクティブキャリア帯域幅部分（ＢＷＰ）の指標を送信可能である。いくつかの例示的な実施形態において、アクティブＢＷＰとしては、ＵＥが使用するように設定された複数のＢＷＰのうちの１つが可能である。また、この例示的な方法および／または手順は、ブロック１４２０の動作を含み、ネットワークノードが、ＵＥに配分されるアクティブＢＷＰ内の１つまたは複数の周波数領域リソースブロック（ＲＢ）を選択可能である。また、この例示的な方法および／または手順は、ブロック１４３０の動作を含み、ネットワークノードが、複数の利用可能なビットを用いて、１つまたは複数の選択ＲＢの指標を符号化可能であり、複数の利用可能なビットが、アクティブＢＷＰ内のＲＢのすべての配分可能な組合せの符号化に不十分である。また、この例示的な方法および／または手順は、ブロック１４４０の動作を含み、ネットワークノードが、ダウンリンク制御チャネルを介して、符号化指標をＵＥに送信可能である。また、いくつかの実施形態において、この例示的な方法および／または手順は、ブロック１４５０の動作を含み、ネットワークノードが、アクティブＢＷＰ内の１つまたは複数の選択ＲＢを用いて、ＵＥに対するデータの送信またはＵＥからのデータの受信を行うことができる。
【００７８】
いくつかの実施形態において、複数の利用可能なビットは、
2021508958.tif 000109
未満とすることができる。ただし、
2021508958.tif 000110
は、アクティブＢＷＰ中のＲＢ数である。いくつかの実施形態において、１つまたは複数の配分ＲＢは、開始仮想リソースブロック（ＲＢｓｔａｒｔ）および隣接割り当てリソースブロック長（ＬＲＢｓ）により表すことができる。いくつかの実施形態において、開始仮想リソースブロック（ＲＢｓｔａｒｔ）は、ＫＳＲＢの分解能で符号化可能であり、隣接割り当てリソースブロック長（ＬＲＢｓ）は、ＫＬＲＢの分解能で符号化可能である。いくつかの実施形態においては、ＫＳをＫＬと等しくすることができる。いくつかの実施形態においては、指標が表し得るＲＢｓｔａｒｔの最小値がゼロで、指標が表し得るＬＲＢｓの最小値がＫＬとなるように、当該指標を符号化可能である。
【００７９】
いくつかの実施形態において、アクティブＢＷＰは、
2021508958.tif 000111
を含み、複数の利用可能なビットは、アクティブＢＷＰ以外のＢＷＰ（たとえば、最初のＢＷＰ）のＲＢ数
2021508958.tif 000112
に基づいて決定される。いくつかの実施形態において、ＫＳおよびＫＬの少なくとも一方は、
2021508958.tif 000113
を
2021508958.tif 000114
で除した比の関数に基づいて決定可能である。いくつかの実施形態において、この関数としては、床、天井、または丸めが可能である。いくつかの実施形態において、ＫＳおよびＫＬはともに、
2021508958.tif 000115
を
2021508958.tif 000116
で除した比の関数が特定の閾値を下回る場合に、１に等しいものと決定可能である。
【００８０】
いくつかの実施形態において、上記指標は、
2021508958.tif 000117
および
2021508958.tif 000118
（その他の場合）に従って符号化可能であり、
2021508958.tif 000119
、ＲＢ’ｓｔａｒｔ＝ＲＢｓｔａｒｔ／ＫＳ、およびＬ’ＲＢｓ＝ＬＲＢｓ／ＫＬである。
【００８１】
図１５は、本開示の特定の例示的な実施形態に係る、ユーザ機器（ＵＥ）により実行され、１つまたは複数の別のＵＥと共有される通信チャネルの周波数領域リソースの配分を受信する例示的な方法および／または手順を示している。この例示的な方法および／または手順は、無線通信ネットワークのネットワークノード（たとえば、基地局、ｇＮＢ、ｅＮＢ、ｅｎ−ｇＮＢ、ｎｇ−ｅＮＢ等、またはその構成要素）と連通したユーザ機器（ＵＥ））（たとえば、無線デバイス、ＩｏＴデバイス、モデム等、またはその構成要素）によって実行可能である。
【００８２】
図１５は、特定の順序に配置されたブロックを示しているが、この順序は例示であり、ブロックに対応する動作を異なる順序で実行可能であるとともに、組合せおよび／または分割によって、図１５の図示と異なる機能を有するブロックにすることも可能である。さらに、図１５に示す例示的な方法および／または手順は、図１４に示す例示的な方法および／または手順の補完とすることも可能である。言い換えると、図１４および図１５に示す例示的な方法および／または手順は、協調的な使用によって、上述の利益、利点、および／または問題の解決手段を提供可能である。任意選択としての動作は、破線で示す。
【００８３】
この例示的な方法および／または手順は、ブロック１５１０の動作を含み、ＵＥが無線通信ネットワークのネットワークノードから、共有チャネルを介した通信に使用可能なアクティブキャリア帯域幅部分（ＢＷＰ）の指標を受信可能である。いくつかの実施形態において、アクティブＢＷＰとしては、ＵＥが使用するように設定された複数のＢＷＰのうちの１つが可能である。また、この例示的な方法および／または手順は、ブロック１５２０の動作を含み、ＵＥがネットワークノードから、ダウンリンク制御チャネルを介して、アクティブＢＷＰ内の１つまたは複数の配分周波数領域リソースブロック（ＲＢ）の指標を受信可能であり、この指標が、アクティブＢＷＰ内のＲＢのすべての配分可能な組合せの符号化に不十分な複数のビットで符号化される。また、この例示的な方法および／または手順は、ブロック１５３０の動作を含み、ＵＥが、受信した指標を復号化して、アクティブＢＷＰ内の１つまたは複数の配分ＲＢを取得可能である。また、いくつかの実施形態において、この例示的な方法および／または手順は、ブロック１５４０の動作を含み、ＵＥが、アクティブＢＷＰ内の１つまたは複数の配分ＲＢを用いて、ネットワークノードに対するデータの送信またはネットワークノードからのデータの受信を行うことができる。
【００８４】
いくつかの実施形態において、複数の利用可能なビットは、
2021508958.tif 000120
未満であり、
2021508958.tif 000121
は、アクティブＢＷＰ中のＲＢ数である。いくつかの実施形態において、１つまたは複数の配分ＲＢは、開始仮想リソースブロック（ＲＢｓｔａｒｔ）および隣接割り当てリソースブロック長（ＬＲＢｓ）により表すことができる。いくつかの実施形態において、開始仮想リソースブロック（ＲＢｓｔａｒｔ）は、ＫＳＲＢの分解能で符号化可能であり、隣接割り当てリソースブロック長（ＬＲＢｓ）は、ＫＬＲＢの分解能で符号化可能である。いくつかの実施形態においては、ＫＳをＫＬと等しくすることができる。いくつかの実施形態においては、指標が表し得るＲＢｓｔａｒｔの最小値がゼロで、指標が表し得るＬＲＢｓの最小値がＫＬとなるように、当該指標を符号化可能である。
【００８５】
いくつかの実施形態において、アクティブＢＷＰは、
2021508958.tif 000122
を含み、複数の利用可能なビットは、アクティブＢＷＰ以外のＢＷＰ（たとえば、最初のＢＷＰ）のＲＢ数
2021508958.tif 000123
に基づいて決定される。いくつかの実施形態において、ＫＳおよびＫＬの少なくとも一方は、
2021508958.tif 000124
を
2021508958.tif 000125
で除した比の関数に基づいて決定可能である。いくつかの実施形態において、この関数としては、床、天井、または丸めが可能である。いくつかの実施形態において、ＫＳおよびＫＬはともに、
2021508958.tif 000126
を
2021508958.tif 000127
で除した比の関数が特定の閾値を下回る場合に、１に等しいものと決定可能である。
【００８６】
いくつかの実施形態において、上記指標は、
2021508958.tif 000128
および
2021508958.tif 000129
（その他の場合）に従って符号化可能であり、
2021508958.tif 000130
、ＲＢ’ｓｔａｒｔ＝ＲＢｓｔａｒｔ／ＫＳ、およびＬ’ＲＢｓ＝ＬＲＢｓ／ＫＬである。
【００８７】
本明細書に記載の主題は、任意好適な構成要素を用いた任意適当な種類のシステムにおいて実装可能であるものの、本明細書に開示の実施形態は、図１６に示す例示的な無線ネットワーク等の無線ネットワークに関して説明する。簡素化のため、図１６の無線ネットワークは、ネットワーク１６０６、ネットワークノード１６６０および１６６０ｂ、ならびにＷＤ１６１０、１６１０ｂ、および１６１０ｃしか示していない。実際のところ、無線ネットワークは、固定電話、サービスプロバイダ、またはその他任意のネットワークノードもしくはエンドデバイス等、無線デバイス間または無線デバイスと別の通信デバイスとの間の通信をサポートするのに適した任意の付加的な要素をさらに含み得る。図示の構成要素のうち、ネットワークノード１６６０および無線デバイス（ＷＤ）１６１０について、さらに詳しく説明する。無線ネットワークは、通信および他種のサービスを１つまたは複数の無線デバイスに提供することにより、無線ネットワークにより提供されるサービスまたは無線ネットワークを介して提供されるサービスの無線デバイスによるアクセスおよび／または使用を容易化可能である。
【００８８】
無線ネットワークは、任意の種類の通信、遠隔通信、データ、セルラー、ならびに／または無線ネットワークもしくは他の同種のシステムの包含および／またはこれらとの連動が可能である。いくつかの実施形態において、無線ネットワークは、特定の規格または他種の所定のルールもしくは手順に従って動作するように設定可能である。したがって、無線ネットワークの特定の実施形態は、モバイル通信用グローバルシステム（ＧＳＭ）、ユニバーサル移動体通信システム（ＵＭＴＳ）、ロングタームエボリューション（ＬＴＥ）、ならびに／または他の好適な２Ｇ、３Ｇ、４Ｇ、もしくは５Ｇ規格等の通信規格、ＩＥＥＥ８０２．１１規格等の無線ローカルエリアネットワーク（ＷＬＡＮ）規格、ならびに／またはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）、Ｂｌｕｅｔｏｏｔｈ、Ｚ−Ｗａｖｅ、および／もしくはＺｉｇＢｅｅ規格等、その他任意適当な無線通信規格を実装し得る。
【００８９】
ネットワーク１６０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にする他のネットワークを備え得る。
【００９０】
ネットワークノード１６６０およびＷＤ１６１０は、以下により詳しく説明するさまざまな構成要素を備える。これらの構成要素は、無線ネットワークにおける無線接続の提供等、ネットワークノードおよび／または無線デバイスの機能を与えるために協働し得る。異なる実施形態において、無線ネットワークは、任意の数の有線もしくは無線ネットワーク、ネットワークノード、基地局、コントローラ、無線デバイス、中継局、ならびに／または有線もしくは無線接続のいずれかに関わらず、データおよび／もしくは信号の通信の容易化もしくは通信への関与が可能なその他任意の構成要素もしくはシステムを備え得る。
【００９１】
本明細書において使用される場合、「ネットワークノード」は、無線デバイスならびに／または当該無線デバイスへの無線アクセスを有効化および／もしくは提供する無線ネットワーク中の他の機器との直接的もしくは間接的な通信ならびに／または無線ネットワーク中の他の機能（たとえば、管理）の実行の可能化、設定、構成、ならびに／または動作可能化のための機器を表す。ネットワークノードの例としては、アクセスポイント（ＡＰ）（たとえば、無線アクセスポイント）、基地局（ＢＳ）（たとえば、無線基地局、ノードＢ、エボルブドノードＢ（ｅＮＢ）、およびＮＲノードＢ（ｇＮＢ））が挙げられるが、これらに限定されない。基地局は、当該基地局が与えるカバレッジの量（または、言い方を変えれば、基地局の送信電力レベル）に基づいて分類可能であり、その場合は、フェムト基地局、ピコ基地局、マイクロ基地局、またはマクロ基地局とも称し得る。基地局としては、中継を制御する中継ノードまたは中継ドナーノードが可能である。ネットワークノードには、場合によりリモート無線ヘッド（ＲＲＨ）と称する集中型デジタルユニットおよび／またはリモートラジオユニット（ＲＲＵ）等の分散型無線基地局の１つまたは複数（またはすべて）の部分も含み得る。このようなリモートラジオユニットは、アンテナ統合無線機としてアンテナと統合されていてもよいし、統合されていなくてもよい。分散型無線基地局の部分は、分散型アンテナシステム（ＤＡＳ）において、ノードとも称し得る。
【００９２】
ネットワークノードのさらに別の例としては、マルチスタンダード無線（ＭＳＲ）ＢＳ等のＭＳＲ無線デバイス、無線ネットワークコントローラ（ＲＮＣ）もしくは基地局コントローラ（ＢＳＣ）等のネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、ならびに／またはＭＤＴが挙げられる。別の例として、ネットワークノードとしては、以下により詳しく説明するような仮想ネットワークノードが可能である。ただし、より一般的には、無線デバイスに対する無線通信ネットワークへのアクセスの有効化および／もしくは提供または無線通信ネットワークにアクセスした無線デバイスへのサービスの提供の可能化、設定、構成、ならびに／または動作可能化のための任意好適なデバイス（または、デバイス群）をネットワークノードが表し得る。
【００９３】
図１６において、ネットワークノード１６６０は、処理回路１６７０、デバイス可読媒体１６８０、インターフェース１６９０、補助機器１６８４、電源１６８６、電力回路１６８７、およびアンテナ１６６２を具備する。図１６の例示的な無線ネットワークに示すネットワークノード１６６０は、図示のハードウェア構成要素の組合せを含むデバイスを表し得るものの、他の実施形態には、構成要素の異なる組合せを有するネットワークノードを含み得る。本明細書に開示のタスク、特徴、機能、ならびに方法および／もしくは手順の実行に必要なハードウェアおよび／またはソフトウェアの任意好適な組合せをネットワークノードが含むことが了解されるものとする。さらに、ネットワークノード１６６０の各構成要素は、大きなボックス内に位置付けられた単一のボックスまたは複数のボックス内に入れ子とされた単一のボックスとして示しているが、ネットワークノードは、単一の図示構成要素を構成する複数の異なる物理的構成要素を含み得る（たとえば、デバイス可読媒体１６８０は、複数の別個のハードドライブのほか、複数のＲＡＭモジュールを備え得る）。
【００９４】
同様に、ネットワークノード１６６０は、それぞれがそれ自体の構成要素を有し得る複数の物理的に別個の構成要素（たとえば、ノードＢ構成要素およびＲＮＣ構成要素またはＢＴＳ構成要素およびＢＳＣ構成要素等）で構成可能である。ネットワークノード１６６０が複数の別個の構成要素（たとえば、ＢＴＳおよびＢＳＣ構成要素）を備える特定のシナリオにおいては、これら別個の構成要素のうちの１つまたは複数を複数のネットワークノード間で共有可能である。たとえば、単一のＲＮＣが複数のノードＢを制御可能である。このようなシナリオにおいて、各一意のノードＢ・ＲＮＣ対は、場合により単一の別個のネットワークノードと考えられる。いくつかの実施形態において、ネットワークノード１６６０は、複数の無線アクセス技術（ＲＡＴ）をサポートするように設定可能である。このような実施形態においては、一部の構成要素を複製可能である（たとえば、異なるＲＡＴに対する別個のデバイス可読媒体１６８０）とともに、一部の構成要素を再利用可能である（たとえば、ＲＡＴにより同じアンテナ１６６２を共有可能である）。また、ネットワークノード１６６０は、たとえばＧＳＭ、ＷＣＤＭＡ、ＬＴＥ、ＮＲ、Ｗｉ−Ｆｉ、またはＢｌｕｅｔｏｏｔｈ無線技術等、当該ネットワークノード１６６０に組み込まれたさまざまな無線技術に対して、複数組のさまざまな図示構成要素を含み得る。これらの無線技術は、ネットワークノード１６６０内の同一もしくは異種チップもしくはチップセットならびに他の構成要素に組み込み可能である。
【００９５】
処理回路１６７０は、ネットワークノードが提供するものとして、本明細書に記載の任意の決定、計算、または類似動作（たとえば、特定の取得動作）を実行するように設定可能である。処理回路１６７０が実行するこれらの動作には、たとえば処理回路１６７０が取得した情報を他の情報に変換すること、ネットワークノードに格納された情報に対して取得情報もしくは変換情報を比較すること、ならびに／または取得情報もしくは変換情報に基づいて１つもしくは複数の動作を実行することにより取得情報を処理することと、前記処理の結果として決定を下すこととを含み得る。
【００９６】
処理回路１６７０は、単独またはデバイス可読媒体１６８０等の他のネットワークノード１６６０構成要素との協働でネットワークノード１６６０の機能を与えるように動作可能なマイクロプロセッサ、コントローラ、マイクロコントローラ、中央演算処理装置、デジタル信号プロセッサ、特定用途向け集積回路、フィールドプログラマブルゲートアレイ、あるいはその他任意の好適なコンピューティングデバイス、リソース、またはハードウェア、ソフトウェア、および／もしくは符号化ロジックの組合せのうちの１つまたは複数の組合せを含み得る。たとえば、処理回路１６７０は、デバイス可読媒体１６８０または処理回路１６７０内のメモリに格納された命令を実行し得る。このような機能は、本明細書に記載のさまざまな無線特徴、機能、または利益のいずれかを提供することを含み得る。いくつかの実施形態において、処理回路１６７０は、システム・オン・チップ（ＳＯＣ）を含み得る。
【００９７】
いくつかの実施形態において、処理回路１６７０は、無線周波数（ＲＦ）トランシーバ回路１６７２およびベースバンド処理回路１６７４のうちの１つまたは複数を含み得る。いくつかの実施形態において、無線周波数（ＲＦ）トランシーバ回路１６７２およびベースバンド処理回路１６７４は、別個のチップ（もしくは、チップセット）、ボード、または無線ユニットおよびデジタルユニット等のユニット上とすることができる。代替実施形態においては、ＲＦトランシーバ回路１６７２およびベースバンド処理回路１６７４の一部または全部を同じチップもしくはチップセット、ボード、またはユニット上とすることができる。
【００９８】
特定の実施形態においては、デバイス可読媒体１６８０または処理回路１６７０内のメモリに格納された命令を実行する処理回路１６７０により、ネットワークノード、基地局、ｅＮＢ、またはこのような他のネットワークデバイスが与えるものとして本明細書に記載の機能の一部または全部が実行され得る。代替実施形態においては、別個または個別のデバイス可読媒体に格納された命令を配線接続された様態等で実行することなく、機能の一部または全部が処理回路１６７０により提供され得る。これら実施形態のいずれにおいても、デバイス可読媒体に格納された命令を実行するか否かに関わらず、処理回路１６７０は、上記機能を実行するように設定可能である。このような機能によりもたらされる利益は、処理回路１６７０単独またはネットワークノード１６６０の他の構成要素に限定されず、全体としてのネットワークノード１６６０ならびに／または一般としてのエンドユーザおよび無線ネットワークにより享受される。
【００９９】
デバイス可読媒体１６８０には、任意の形態の揮発性または不揮発性コンピュータ可読メモリを含むことができ、永続記憶装置、固体メモリ、遠隔搭載メモリ、磁気媒体、光媒体、ランダムアクセスメモリ（ＲＡＭ）、リードオンリーメモリ（ＲＯＭ）、大容量記憶媒体（たとえば、ハードディスク）、リムーバブル記憶媒体（たとえば、フラッシュドライブ、コンパクトディスク（ＣＤ）、もしくはデジタルビデオディスク（ＤＶＤ））、ならびに／または処理回路１６７０により使用可能な情報、データ、および／もしくは命令を格納するその他任意の揮発性もしくは不揮発性の持続性デバイス可読および／もしくはコンピュータ実行可能メモリデバイスが挙げられるが、これらに限定されない。デバイス可読媒体１６８０は、コンピュータプログラム、ソフトウェア、ロジック、ルール、コード、テーブル等のうちの１つもしくは複数を含むアプリケーション、ならびに／または処理回路１６７０による実行およびネットワークノード１６６０による利用が可能な他の命令等、任意好適な命令、データ、または情報を格納し得る。デバイス可読媒体１６８０は、処理回路１６７０による任意の計算および／またはインターフェース１６９０を介して受信される任意のデータの格納に使用可能である。いくつかの実施形態において、処理回路１６７０およびデバイス可読媒体１６８０は、統合が考えられる。
【０１００】
インターフェース１６９０は、ネットワークノード１６６０、ネットワーク１６０６、および／またはＷＤ１６１０間のシグナリングおよび／またはデータの有線または無線通信において使用される。図示のように、インターフェース１６９０は、たとえば有線接続を介したネットワーク１６０６へのデータ送信およびネットワーク１６０６からのデータ受信のためのポート／端子１６９４を備える。また、インターフェース１６９０は無線フロントエンド回路１６９２を含むが、これは、アンテナ１６６２に結合することも可能であるし、特定の実施形態においては、アンテナ１６６２の一部とすることも可能である。無線フロントエンド回路１６９２は、フィルタ１６９８および増幅器１６９６を備える。無線フロントエンド回路１６９２は、アンテナ１６６２および処理回路１６７０に接続可能である。無線フロントエンド回路は、アンテナ１６６２と処理回路１６７０との間で伝達される信号を調節するように設定可能である。無線フロントエンド回路１６９２は、無線接続を介して他のネットワークノードまたはＷＤに送り出されるデジタルデータを受信可能である。無線フロントエンド回路１６９２は、フィルタ１６９８および／または増幅器１６９６の組合せによって、適当なチャネルおよび帯域幅パラメータを有する無線信号へとデジタルデータを変換可能である。その後、アンテナ１６６２を介して、無線信号を送信可能である。同様に、データの受信時には、アンテナ１６６２が無線信号を収集した後、無線フロントエンド回路１６９２がこれをデジタルデータに変換可能である。デジタルデータは、処理回路１６７０に受け渡し可能である。他の実施形態において、インターフェースは、異なる構成要素および／または異なる組合せの構成要素を備え得る。
【０１０１】
特定の代替実施形態においては、ネットワークノード１６６０が別個の無線フロントエンド回路１６９２を含んでいなくてもよく、代わりに、処理回路１６７０が無線フロントエンド回路を含み、別個の無線フロントエンド回路１６９２なしでアンテナ１６６２に接続され得る。同様に、いくつかの実施形態においては、ＲＦトランシーバ回路１６７２の全部または一部がインターフェース１６９０の一部と考えられる。さらに他の実施形態において、インターフェース１６９０は、無線ユニット（図示せず）の一部として、１つもしくは複数のポートもしくは端子１６９４、無線フロントエンド回路１６９２、ならびにＲＦトランシーバ回路１６７２を具備し得るとともに、デジタルユニット（図示せず）の一部であるベースバンド処理回路１６７４と通信可能である。
【０１０２】
アンテナ１６６２は、無線信号を送信および／または受信するように構成された１つまたは複数のアンテナまたはアンテナアレイを含み得る。アンテナ１６６２は、無線フロントエンド回路１６９０に結合可能であるとともに、データおよび／または信号を無線で送信および受信可能な如何なる種類のアンテナも可能である。いくつかの実施形態において、アンテナ１６６２は、たとえば２ＧＨｚと６６ＧＨｚとの間の無線信号を送信／受信するように動作可能な１つまたは複数の無指向性セクタまたはパネルアンテナを備え得る。無指向性アンテナは、任意の方向に無線信号を送信／受信するのに使用され得る。セクタアンテナは、特定のエリア内の機器から無線信号を送信／受信するのに使用され得る。パネルアンテナとしては、比較的直線状に無線信号を送信／受信するのに使用される見通し線アンテナが可能である。場合により、２つ以上のアンテナの使用は、ＭＩＭＯと称し得る。特定の実施形態において、アンテナ１６６２は、ネットワークノード１６６０から分離可能であるとともに、インターフェースまたはポートを通じてネットワークノード１６６０に接続可能となり得る。
【０１０３】
アンテナ１６６２、インターフェース１６９０、および／または処理回路１６７０は、ネットワークノードが実行するものとして、本明細書に記載の任意の受信動作および／または特定の取得動作を実行するように設定可能である。如何なる情報、データ、および／または信号も、無線デバイス、別のネットワークノード、および／またはその他任意のネットワーク機器から受信可能である。同様に、アンテナ１６６２、インターフェース１６９０、および／または処理回路１６７０は、ネットワークノードが実行するものとして、本明細書に記載の任意の送信動作を実行するように設定可能である。如何なる情報、データ、および／または信号も、無線デバイス、別のネットワークノード、および／またはその他任意のネットワーク機器に送信可能である。
【０１０４】
電力回路１６８７は、電力管理回路を備えることも可能であるし、電力管理回路に結合することも可能であり、本明細書に記載の機能を実行するための電力をネットワークノード１６６０の構成要素に供給するように設定可能である。電力回路１６８７は、電源１６８６から電力を受電可能である。電源１６８６および／または電力回路１６８７は、ネットワークノード１６６０のさまざまな構成要素に対して、各構成要素に適した形態で（たとえば、各構成要素に必要な電圧および電流レベルで）電力を提供するように設定可能である。電源１６８６は、電力回路１６８７および／またはネットワークノード１６６０に含むことも可能であるし、電力回路１６８７および／またはネットワークノード１６６０の外部でも可能である。たとえば、ネットワークノード１６６０は、電気ケーブル等の入力回路またはインターフェースを介して外部電源（たとえば、コンセント）に接続可能とすることにより、当該外部電源が電力を電力回路１６８７に供給可能となる。別の例として、電源１６８６は、電力回路１６８７に接続または内蔵されたバッテリまたはバッテリパックの形態の電力源を備え得る。バッテリは、外部電源が故障した場合のバックアップ電力を提供可能である。光起電デバイス等の他種の電源も使用可能である。
【０１０５】
ネットワークノード１６６０の代替実施形態は、本明細書に記載の任意の機能および／または本明細書に記載の主題のサポートに必要な任意の機能を含めて、ネットワークノードの機能の特定の態様の提供を担い得る、図１６に示した構成要素以外の付加的な構成要素を含み得る。たとえば、ネットワークノード１６６０は、情報のネットワークノード１６６０への入力を許可および／または容易化するとともに、情報のネットワークノード１６６０からの出力を許可および／または容易化するユーザインターフェース機器を具備し得る。これにより、ユーザは、ネットワークノード１６６０の診断、保守、修繕、および他の管理機能の実行が許可および／または容易化され得る。
【０１０６】
本明細書おいて、「無線デバイス（ＷＤ）」は、ネットワークノードおよび／または別の無線デバイスとの無線通信が可能な、設定された、構成された、ならびに／または動作可能なデバイスを指す。本明細書においては、別段の注記のない限り、ＷＤという用語は、ユーザ機器（ＵＥ）と互換的に使用可能である。無線で通信することには、空中で情報を伝達するのに適した電磁波、電波、赤外線波、および／または他種の信号を使用して無線信号を送信および／または受信することを伴い得る。いくつかの実施形態において、ＷＤは、直接的な人間の相互作用なく、情報を送信および／または受信するように設定可能である。たとえば、ＷＤは、内部もしくは外部イベントによるトリガーまたはネットワークからの要求を受けた場合に、所定のスケジュールでネットワークに情報を送信するように設計可能である。ＷＤの例としては、スマートフォン、移動式電話、携帯電話、ボイスオーバＩＰ（ＶｏＩＰ）電話、無線ローカルループフォン、デスクトップコンピュータ、個人用デジタル補助装置（ＰＤＡ）、無線カメラ、ゲームコンソールまたはデバイス、楽曲記憶装置、再生装置、ウェアラブル端末デバイス、無線エンドポイント、移動局、タブレット、ラップトップ、ラップトップ埋込み機器（ＬＥＥ）、ラップトップ搭載機器（ＬＭＥ）、スマートデバイス、無線顧客構内機器（ＣＰＥ）、車載無線端末デバイス等が挙げられるが、これらに限定されない。
【０１０７】
ＷＤは、たとえばサイドリンク通信、車両−車両間（Ｖ２Ｖ）、車両−インフラ間（Ｖ２Ｉ）、車両−任意間（Ｖ２Ｘ）のための３ＧＰＰ規格を実装することによって、デバイス間（Ｄ２Ｄ）通信をサポート可能であり、この場合はＤ２Ｄ通信デバイスと称し得る。さらに別の特定例として、インターネット・オブ・シングス（ＩｏＴ）のシナリオでは、ＷＤが監視および／または測定を実行し、そのような監視および／または測定の結果を別のＷＤおよび／またはネットワークノードに送信するマシンまたは他のデバイスを表し得る。この場合、無線デバイスは、マシン−マシン間（Ｍ２Ｍ）デバイスであってもよく、３ＧＰＰの背景においてＭＴＣデバイスと称し得る。１つの特定例として、ＷＤとしては、３ＧＰＰ狭帯域インターネット・オブ・シングス（ＮＢ−ＩｏＴ）規格を実装したＵＥが可能である。このようなマシンまたはデバイスの特定例は、センサ、電力計等の計量デバイス、産業用機械類、または家庭用もしくは個人用電気器具（たとえば、冷蔵庫、テレビ等）、個人用ウェアラブル（たとえば、時計、フィットネストラッカ等）である。他のシナリオでは、動作ステータスまたは動作と関連付けられた他の機能を監視および／または報告し得る車両等の機器をＷＤが表し得る。上述のＷＤは、無線接続のエンドポイントを表していてもよく、この場合は無線端末と称し得る。さらに、上述のＷＤはモバイルも可能であり、この場合はモバイルデバイスまたはモバイル端末とも称し得る。
【０１０８】
図示のように、無線デバイス１６１０は、アンテナ１６１１、インターフェース１６１４、処理回路１６２０、デバイス可読媒体１６３０、ユーザインターフェース機器１６３２、補助機器１６３４、電源１６３６、および電力回路１６３７を具備する。ＷＤ１６１０は、少し挙げるだけでも、たとえばＧＳＭ、ＷＣＤＭＡ、ＬＴＥ、ＮＲ、Ｗｉ−Ｆｉ、ＷｉＭａｘ、またはＢｌｕｅｔｏｏｔｈ無線技術等、当該ＷＤ１６１０がサポートするさまざまな無線技術に対して、複数組の１つまたは複数の図示構成要素を含み得る。これらの無線技術は、ＷＤ１６１０内の他の構成要素と同一または異種チップまたはチップセットに組み込み可能である。
【０１０９】
アンテナ１６１１は、無線信号を送信および／または受信するように構成された１つまたは複数のアンテナまたはアンテナアレイを含むことができ、インターフェース１６１４に接続されている。特定の代替実施形態において、アンテナ１６１１は、ＷＤ１６１０から分離可能であるとともに、インターフェースまたはポートを通じてＷＤ１６１０に接続可能となり得る。アンテナ１６１１、インターフェース１６１４、および／または処理回路１６２０は、ＷＤが実行するものとして、本明細書に記載の任意の受信または送信動作を実行するように設定可能である。如何なる情報、データ、および／または信号も、ネットワークノードおよび／または別のＷＤから受信可能である。いくつかの実施形態においては、無線フロントエンド回路および／またはアンテナ１６１１がインターフェースと考えられる。
【０１１０】
図示のように、インターフェース１６１４は、無線フロントエンド回路１６１２およびアンテナ１６１１を備える。無線フロントエンド回路１６１２は、１つもしくは複数のフィルタ１６１８ならびに増幅器１６１６を備える。無線フロントエンド回路１６１４は、アンテナ１６１１および処理回路１６２０に接続され、アンテナ１６１１と処理回路１６２０との間で伝達される信号を調節するように設定可能である。無線フロントエンド回路１６１２は、アンテナ１６１１に結合することも可能であるし、アンテナ１６１１の一部とすることも可能である。いくつかの実施形態においては、ＷＤ１６１０が別個の無線フロントエンド回路１６１２を含んでいなくてもよく、代わりに、処理回路１６２０が無線フロントエンド回路を含み、アンテナ１６１１に接続され得る。同様に、いくつかの実施形態においては、ＲＦトランシーバ回路１６２２の一部または全部がインターフェース１６１４の一部と考えられる。無線フロントエンド回路１６１２は、無線接続を介して他のネットワークノードまたはＷＤに送り出されるデジタルデータを受信可能である。無線フロントエンド回路１６１２は、フィルタ１６１８および／または増幅器１６１６の組合せによって、適当なチャネルおよび帯域幅パラメータを有する無線信号へとデジタルデータを変換可能である。その後、アンテナ１６１１を介して、無線信号を送信可能である。同様に、データの受信時には、アンテナ１６１１が無線信号を収集した後、無線フロントエンド回路１６１２がこれをデジタルデータに変換可能である。デジタルデータは、処理回路１６２０に受け渡し可能である。他の実施形態において、インターフェースは、異なる構成要素および／または異なる組合せの構成要素を備え得る。
【０１１１】
処理回路１６２０は、単独またはデバイス可読媒体１６３０等の他のＷＤ１６１０構成要素との協働でＷＤ１６１０の機能を与えるように動作可能なマイクロプロセッサ、コントローラ、マイクロコントローラ、中央演算処理装置、デジタル信号プロセッサ、特定用途向け集積回路、フィールドプログラマブルゲートアレイ、あるいはその他任意の好適なコンピューティングデバイス、リソース、またはハードウェア、ソフトウェア、および／もしくは符号化ロジックの組合せのうちの１つまたは複数の組合せを含み得る。このような機能は、本明細書に記載のさまざまな無線特徴または利益のいずれかを提供することを含み得る。たとえば、処理回路１６２０は、デバイス可読媒体１６３０または処理回路１６２０内のメモリに格納された命令を実行することによって、本明細書に開示の機能を提供可能である。
【０１１２】
図示のように、処理回路１６２０は、ＲＦトランシーバ回路１６２２、ベースバンド処理回路１６２４、およびアプリケーション処理回路１６２６のうちの１つまたは複数を含む。他の実施形態において、処理回路は、異なる構成要素および／または異なる組合せの構成要素を備え得る。特定の実施形態において、ＷＤ１６１０の処理回路１６２０は、ＳＯＣを含み得る。いくつかの実施形態において、ＲＦトランシーバ回路１６２２、ベースバンド処理回路１６２４、およびアプリケーション処理回路１６２６は、別個のチップまたはチップセット上とすることができる。代替実施形態においては、ベースバンド処理回路１６２４およびアプリケーション処理回路１６２６の一部または全部を１つのチップまたはチップセットとして組合せ可能であり、ＲＦトランシーバ回路１６２２を別個のチップまたはチップセット上とすることができる。別の代替実施形態においては、ＲＦトランシーバ回路１６２２およびベースバンド処理回路１６２４の一部または全部を同じチップまたはチップセット上とすることができ、アプリケーション処理回路１６２６を別個のチップまたはチップセット上とすることができる。さらに他の代替実施形態においては、ＲＦトランシーバ回路１６２２、ベースバンド処理回路１６２４、およびアプリケーション処理回路１６２６の一部または全部を同じチップまたはチップセットに組み合わせることができる。いくつかの実施形態においては、ＲＦトランシーバ回路１６２２をインターフェース１６１４の一部とすることもできる。ＲＦトランシーバ回路１６２２は、処理回路１６２０に対するＲＦ信号を調節可能である。
【０１１３】
特定の実施形態においては、デバイス可読媒体１６３０（特定の実施形態においては、コンピュータ可読記憶媒体が可能）に格納された命令を実行する処理回路１６２０により、ＷＤが実行するものとして本明細書に記載の機能の一部または全部が提供され得る。代替実施形態においては、別個または個別のデバイス可読記憶媒体に格納された命令を配線接続された様態等で実行することなく、機能の一部または全部が処理回路１６２０により提供され得る。これら特定の実施形態のいずれにおいても、デバイス可読媒体に格納された命令を実行するか否かに関わらず、処理回路１６２０は、上記機能を実行するように設定可能である。このような機能によりもたらされる利益は、処理回路１６２０単独またはＷＤ１６１０の他の構成要素に限定されず、全体としてのＷＤ１６１０ならびに／または一般としてのエンドユーザおよび無線ネットワークにより享受される。
【０１１４】
処理回路１６２０は、ＷＤが実行するものとして、本明細書に記載の任意の決定、計算、または類似動作（たとえば、特定の取得動作）を実行するように設定可能である。処理回路１６２０が実行するこれらの動作には、たとえば処理回路１６２０が取得した情報を他の情報に変換すること、ＷＤ１６１０に格納された情報に対して取得情報もしくは変換情報を比較すること、ならびに／または取得情報もしくは変換情報に基づいて１つもしくは複数の動作を実行することにより取得情報を処理することと、前記処理の結果として決定を下すこととを含み得る。
【０１１５】
デバイス可読媒体１６３０は、コンピュータプログラム、ソフトウェア、ロジック、ルール、コード、テーブル等のうちの１つもしくは複数を含むアプリケーション、ならびに／または処理回路１６２０による実行が可能な他の命令を格納するように動作可能となり得る。デバイス可読媒体１６３０としては、コンピュータメモリ（たとえば、ランダムアクセスメモリ（ＲＡＭ）もしくはリードオンリーメモリ（ＲＯＭ））、大容量記憶媒体（たとえば、ハードディスク）、リムーバブル記憶媒体（たとえば、コンパクトディスク（ＣＤ）もしくはデジタルビデオディスク（ＤＶＤ））、ならびに／または処理回路１６２０により使用可能な情報、データ、および／もしくは命令を格納するその他任意の揮発性もしくは不揮発性の持続性デバイス可読および／もしくはコンピュータ実行可能メモリデバイスが挙げられる。いくつかの実施形態において、処理回路１６２０およびデバイス可読媒体１６３０は、統合が考えられる。
【０１１６】
ユーザインターフェース機器１６３２は、人間のユーザによるＷＤ１６１０との相互作用を許可および／または容易化する構成要素を含み得る。このような相互作用としては、視覚、聴覚、触覚等、多くの形態が可能である。ユーザインターフェース機器１６３２は、ユーザへの出力を生成するとともに、ユーザによるＷＤ１６１０への入力の提供を許可および／または容易化するように動作可能となり得る。相互作用の種類は、ＷＤ１６１０に組み込まれたユーザインターフェース機器１６３２の種類に応じて変化し得る。たとえば、ＷＤ１６１０がスマートフォンの場合、相互作用は、タッチスクリーンを介したものとなり得る。ＷＤ１６１０がスマートメータの場合、相互作用は、使用量（たとえば、使用したガロン数）を与えるスクリーンまたは（たとえば、煙が検出された場合の）警報を与えるスピーカを通じたものとなり得る。ユーザインターフェース機器１６３２は、入力インターフェース、デバイス、および回路、ならびに出力インターフェース、デバイス、および回路を含み得る。ユーザインターフェース機器１６３２は、情報のＷＤ１６１０への入力を許可および／または容易化するように設定可能であり、処理回路１６２０に接続されて、処理回路１６２０による入力情報の処理を許可および／または容易化する。ユーザインターフェース機器１６３２は、たとえばマイク、近接センサ等のセンサ、キー／ボタン、タッチディスプレイ、１つもしくは複数のカメラ、ＵＳＢポート、または他の入力回路を具備し得る。また、ユーザインターフェース機器１６３２は、ＷＤ１６１０からの情報の出力を許可および／または容易化するとともに、処理回路１６２０によるＷＤ１６１０からの情報の出力を許可および／または容易化するように設定されている。ユーザインターフェース機器１６３２は、たとえばスピーカ、ディスプレイ、振動回路、ＵＳＢポート、ヘッドフォンインターフェース、または他の出力回路を具備し得る。ユーザインターフェース機器１６３２の１つまたは複数の入力および出力インターフェース、デバイス、および回路を使用することにより、ＷＤ１６１０は、エンドユーザおよび／または無線ネットワークと通信可能であるとともに、エンドユーザおよび／または無線ネットワークが本明細書に記載の機能から利益を享受することを許可および／または容易化し得る。
【０１１７】
補助機器１６３４は、ＷＤが一般的に実行し得ないより具体的な機能を提供するように動作可能である。これには、さまざまな目的で測定を行う特殊センサ、有線通信等の付加的な種類の通信用のインターフェース等を含み得る。補助機器１６３４の構成要素の具備および種類は、実施形態および／またはシナリオに応じて変化し得る。
【０１１８】
いくつかの実施形態において、電源１６３６は、バッテリまたはバッテリパックの形態が可能である。外部電源（たとえば、コンセント）、光起電デバイス、または動力電池等の他種の電源も使用可能である。ＷＤ１６１０は、本明細書に記載または指定の任意の機能の実行に電源１６３６からの電力を必要とするＷＤ１６１０のさまざまな部分に対して、電源１６３６から電力を送達する電力回路１６３７をさらに備え得る。特定の実施形態において、電力回路１６３７は、電力管理回路を備え得る。この追加または代替として、電力回路１６３７は、外部電源から電力を受電するように動作可能となり得る。この場合、ＷＤ１６１０は、電力ケーブル等の入力回路またはインターフェースを介して、外部電源（コンセント等）に接続可能となり得る。また、特定の実施形態において、電力回路１６３７は、外部電源から電源１６３６に電力を送達するように動作可能となり得る。これにより、たとえば電源１６３６を充電可能である。電力回路１６３７は、電源１６３６からの電力に対して任意の変換または他の変更を実行することにより、ＷＤ１６１０の各構成要素への供給に適したものとすることができる。
【０１１９】
図１７は、本明細書に記載の種々の態様に係る、ＵＥの例示的な一実施形態を示している。本明細書において、ユーザ機器すなわちＵＥは必ずしも、関連するデバイスを所有および／または操作する人間の意味でのユーザを含まなくてもよい。代わりに、ＵＥは、人間のユーザへの販売または人間のユーザによる操作を意図したデバイスを表し得るが、特定の人間ユーザと関連付けられていなくてもよいし、最初は関連付けられていなくてもよい（たとえば、スマートスプリンクラーコントローラ）。あるいは、ＵＥは、エンドユーザへの販売またはエンドユーザによる操作を意図しないデバイスを表し得るが、ユーザの利益との関連付けも可能であるし、ユーザの利益のための動作も可能である（たとえば、スマート電力計）。ＵＥ１７２００としては、ＮＢ−ＩｏＴ  ＵＥ、マシンタイプ通信（ＭＴＣ）ＵＥ、および／またはエンハンストＭＴＣ（ｅＭＴＣ）ＵＥ等、３ＧＰＰにより識別される任意のＵＥが可能である。図１７に示すように、ＵＥ１７００は、３ＧＰＰのＧＳＭ、ＵＭＴＳ、ＬＴＥ、および／または５Ｇ規格等、３ＧＰＰにより公布された１つまたは複数の通信規格に従って通信するように設定されたＷＤの一例である。前述の通り、ＷＤおよびＵＥという用語は、区別なく使用可能である。したがって、図１７はＵＥであるが、本明細書に記載の構成要素は、ＷＤにも等しく適用可能であり、その逆もまた同様である。
【０１２０】
図１７において、ＵＥ１７００は、入出力インターフェース１７０５、無線周波数（ＲＦ）インターフェース１７０９、ネットワーク接続インターフェース１７１１、ランダムアクセスメモリ（ＲＡＭ）１７１７、リードオンリーメモリ（ＲＯＭ）１７１９、および記憶媒体１７２１等を含むメモリ１７１５、通信サブシステム１７３１、電源１７３３、および／もしくはその他任意の構成要素、またはこれらの任意の組合せに対して動作可能に結合された処理回路１７０１を具備する。記憶媒体１７２１は、オペレーティングシステム１７２３、アプリケーションプログラム１７２５、およびデータ１７２７を含む。他の実施形態において、記憶媒体１７２１は、他の同種の情報を含み得る。特定のＵＥは、図１７に示す構成要素をすべて利用することも可能であるし、一部の構成要素のみを利用することも可能である。構成要素間の統合のレベルは、ＵＥごとに異なり得る。さらに、特定のＵＥは、複数のプロセッサ、メモリ、トランシーバ、送信機、受信機等、１つの構成要素について複数の実例を含み得る。
【０１２１】
図１７において、処理回路１７０１は、コンピュータ命令およびデータを処理するように設定可能である。処理回路１７０１は、（たとえば、離散ロジック、ＦＰＧＡ、ＡＳＩＣ等における）１つまたは複数のハードウェア実装ステートマシン、適当なファームウェアと併せたプログラマブルロジック、適当なソフトウェアと併せたマイクロプロセッサまたはデジタル信号プロセッサ（ＤＳＰ）等の１つまたは複数の格納プログラム汎用プロセッサ、またはこれらの任意の組合せ等、マシン可読コンピュータプログラムとしてメモリに格納されたマシン命令を実行するように動作する任意のシーケンシャルステートマシンを実装するように設定可能である。たとえば、処理回路１７０１は、２つの中央演算処理装置（ＣＰＵ）を具備し得る。データとしては、コンピュータによる使用に適した形態の情報が可能である。
【０１２２】
図示の実施形態において、入出力インターフェース１７０５は、入力装置、出力装置、または入出力装置に対する通信インターフェースを与えるように設定可能である。ＵＥ１７００は、入出力インターフェース１７０５を介して出力装置を使用するように設定可能である。出力装置は、入力装置と同種のインターフェースポートを使用可能である。たとえば、ＵＥ１７００に対する入力および出力として、ＵＳＢポートを使用可能である。出力装置としては、スピーカ、サウンドカード、ビデオカード、ディスプレイ、モニタ、プリンタ、アクチュエータ、エミッタ、スマートカード、別の出力装置、またはこれらの任意の組合せが可能である。ＵＥ１７００は、入出力インターフェース１７０５を介した入力装置の使用によって、情報のＵＥ１７００への取り込みを許可および／または容易化するように設定可能である。入力装置としては、タッチセンサ式またはプレゼンスセンサ式ディスプレイ、カメラ（たとえば、デジタルカメラ、デジタルビデオカメラ、ウェブカメラ等）、マイク、センサ、マウス、トラックボール、方向パッド、トラックパッド、スクロールホイール、スマートカード等が挙げられる。プレゼンスセンサ式ディスプレイは、ユーザからの入力を検知する容量性または抵抗性のタッチセンサを具備し得る。センサとしては、たとえば加速度計、ジャイロスコープ、傾斜センサ、力センサ、磁力計、光学センサ、近接センサ、別の類似センサ、またはこれらの任意の組合せが可能である。たとえば、入力装置としては、加速度計、磁力計、デジタルカメラ、マイク、および光学センサが可能である。
【０１２３】
図１７において、ＲＦインターフェース１７０９は、送信機、受信機、およびアンテナ等のＲＦ構成要素に対する通信インターフェースを与えるように設定可能である。ネットワーク接続インターフェース１７１１は、ネットワーク１７４３ａに対する通信インターフェースを与えるように設定可能である。ネットワーク１７４３ａは、ローカルエリアネットワーク（ＬＡＮ）、ワイドエリアネットワーク（ＷＡＮ）、コンピュータネットワーク、無線ネットワーク、遠隔通信ネットワーク、別の類似ネットワーク、またはこれらの任意の組合せ等の有線および／または無線ネットワークを網羅し得る。たとえば、ネットワーク１７４３ａは、Ｗｉ−Ｆｉネットワークを含み得る。ネットワーク接続インターフェース１７１１は、Ｅｔｈｅｒｎｅｔ、ＴＣＰ／ＩＰ、ＳＯＮＥＴ、ＡＴＭ等の１つまたは複数の通信プロトコルにより通信ネットワークを介して１つまたは複数の他のデバイスと通信するのに用いられる受信機および送信機インターフェースを含むように設定可能である。ネットワーク接続インターフェース１７１１は、通信ネットワークリンク（たとえば、光学的リンク、電気的リンク等）に適した受信機および送信機の機能を実装可能である。送信機および受信機の機能は、回路構成要素、ソフトウェアまたはファームウェアを共有することも可能であるし、あるいは、別個に実装することも可能である。
【０１２４】
ＲＡＭ１７１７は、バス１７０２を介した処理回路１７０１との相互作用によって、オペレーティングシステム、アプリケーションプログラム、およびデバイスドライバ等のソフトウェアプログラムの実行時に、データまたはコンピュータ命令を格納またはキャッシングするように設定可能である。ＲＯＭ１７１９は、コンピュータ命令またはデータを処理回路１７０１に提供するように設定可能である。たとえば、ＲＯＭ１７１９は、基本入出力（Ｉ／Ｏ）、起動、不揮発性メモリに格納されたキーボードからのキーストロークの受け付け等の基本的なシステム機能に対する不変の低レベルシステムコードまたはデータを格納するように設定可能である。記憶媒体１７２１は、ＲＡＭ、ＲＯＭ、プログラム可能リードオンリーメモリ（ＰＲＯＭ）、消去・プログラム可能リードオンリーメモリ（ＥＰＲＯＭ）、電気的消去・プログラム可能リードオンリーメモリ（ＥＥＰＲＯＭ）等のメモリ、磁気ディスク、光ディスク、フロッピーディスク、ハードディスク、リムーバブルカートリッジ、またはフラッシュドライブを含むように設定可能である。一例として、記憶媒体１７２１は、オペレーティングシステム１７３２、ウェブブラウザアプリケーション、ウィジェットもしくはガジェットエンジン、または別のアプリケーション等のアプリケーションプログラム１７２５、およびデータファイル１７２７を含むように設定可能である。記憶媒体１７２１は、ＵＥ１７００が使用するものとして、多様な種々のオペレーティングシステムまたはオペレーティングシステムの組合せのいずれかを格納し得る。
【０１２５】
記憶媒体１７２１は、ＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ＤＩＭＭ（ｍｉｎｉ−Ｄｕａｌ  Ｉｎ−ｌｉｎｅ  Ｍｅｍｏｒｙ  Ｍｏｄｕｌｅ）、同期型ダイナミックランダムアクセスメモリ（ＳＤＲＡＭ）、外部マイクロＤＩＭＭ  ＳＤＲＡＭ、加入者識別モジュールまたはリムーバブルユーザ識別モジュール（ＳＩＭ／ＲＵＩＭ）等のスマートカードメモリ、他のメモリ、またはこれらの任意の組合せ等、多くの物理的ドライブユニットを含むように設定可能である。記憶媒体１７２１は、非持続性または持続性記憶媒体に格納されたコンピュータ実行可能命令、アプリケーションプログラム等へのＵＥ１７００によるアクセス、データのオフロード、またはデータのアップロードを許可および／または容易化し得る。通信システムを利用するような製造品を記憶媒体１７２１において実際に具現化可能であり、デバイス可読媒体を含み得る。
【０１２６】
図１７において、処理回路１７０１は、通信サブシステム１７３１を用いてネットワーク１７４３ｂと通信するように設定可能である。ネットワーク１７４３ａおよびネットワーク１７４３ｂは、１つまたは複数の同一のネットワークとすることも可能であるし、１つまたは複数の異なるネットワークとすることも可能である。通信サブシステム１７３１は、ネットワーク１７４３ｂとの通信に用いられる１つまたは複数のトランシーバを含むように設定可能である。たとえば、通信サブシステム１７３１は、ＩＥＥＥ  ８０２．１７、ＣＤＭＡ、ＷＣＤＭＡ、ＧＳＭ、ＬＴＥ、ＵＴＲＡＮ、ＷｉＭａｘ等の１つまたは複数の通信プロトコルに従って、無線アクセスネットワーク（ＲＡＮ）の別のＷＤ、ＵＥ、または基地局等、無線通信が可能な別のデバイスの１つまたは複数のリモートトランシーバとの通信に用いられる１つまたは複数のトランシーバを含むように設定可能である。各トランシーバは、ＲＡＮリンクに適した送信機または受信機の機能（たとえば、周波数割り当て等）をそれぞれ実装する送信機１７３３および／または受信機１７３５を具備し得る。さらに、各トランシーバの送信機１７３３および受信機１７３５は、回路構成要素、ソフトウェアまたはファームウェアを共有することも可能であるし、あるいは、別個に実装することも可能である。
【０１２７】
図示の実施形態において、通信サブシステム１７３１の通信機能には、データ通信、音声通信、マルチメディア通信、Ｂｌｕｅｔｏｏｔｈ等の短距離通信、近距離通信、全地球測位システム（ＧＰＳ）を用いた位置の決定等の位置ベースの通信、別の類似通信機能、またはこれらの任意の組み合を含み得る。たとえば、通信サブシステム１７３１は、セルラー通信、Ｗｉ−Ｆｉ通信、Ｂｌｕｅｔｏｏｔｈ通信、およびＧＰＳ通信を含み得る。ネットワーク１７４３ｂは、ローカルエリアネットワーク（ＬＡＮ）、ワイドエリアネットワーク（ＷＡＮ）、コンピュータネットワーク、無線ネットワーク、遠隔通信ネットワーク、別の類似ネットワーク、またはこれらの任意の組合せ等の有線および／または無線ネットワークを網羅し得る。たとえば、ネットワーク１７４３ｂとしては、セルラーネットワーク、Ｗｉ−Ｆｉネットワーク、および／または近距離通信ネットワークが可能である。電源１７１３は、ＵＥ１７００の構成要素に対して交流（ＡＣ）または直流（ＤＣ）電力を与えるように設定可能である。
【０１２８】
本明細書に記載の特徴、利益、および／または機能は、ＵＥ１７００の構成要素のうちの１つで実装することも可能であるし、ＵＥ１７００の複数の構成要素全体で分配することも可能である。さらに、本明細書に記載の特徴、利益、および／または機能は、ハードウェア、ソフトウェア、またはファームウェアの如何なる組合せにおいても実装可能である。一例として、通信サブシステム１７３１は、本明細書に記載の構成要素のいずれかを含むように設定可能である。さらに、処理回路１７０１は、このような構成要素のいずれかとバス１７０２を介して通信するように設定可能である。別の例においては、処理回路１７０１により実行された場合に、本明細書に記載の対応する機能を実行するメモリに格納されたプログラム命令によって、このような構成要素のいずれかを表し得る。別の例において、このような構成要素のいずれかの機能は、処理回路１７０１と通信サブシステム１７３１とに分配可能である。別の例において、このような構成要素のいずれかの非演算集約的機能は、ソフトウェアまたはファームウェアにおいて実装可能であり、演算集約的機能は、ハードウェアにおいて実装可能である。
【０１２９】
図１８は、いくつかの実施形態により実装される機能を仮想化し得る仮想化環境１８００を示す模式ブロック図である。本文脈において、仮想化は、仮想化ハードウェアプラットフォーム、記憶装置、およびネットワークリソースを含み得る装置またはデバイスの仮想版を生成することを意味する。本明細書において、仮想化は、ノード（たとえば、仮想化基地局または仮想化無線アクセスノード）、デバイス（たとえば、ＵＥ、無線デバイス、またはその他任意の種類の通信デバイス）、またはそれらの構成要素に適用可能であり、機能の少なくとも一部が（たとえば、１つまたは複数のネットワークの１つまたは複数の物理的処理ノード上で実行される１つまたは複数のアプリケーション、コンポーネント、機能、仮想マシン、またはコンテナにより）１つまたは複数の仮想コンポーネントとして実装される一実施態様に関する。
【０１３０】
いくつかの実施形態においては、ハードウェアノード１８３０のうちの１つまたは複数がホスティングする１つまたは複数の仮想化環境１８００において実装された１つまたは複数の仮想マシンにより実行される仮想コンポーネントとして、本明細書に記載の機能の一部または全部を実装可能である。さらに、仮想ノードが無線アクセスノードでもなく、無線接続も必要としない（たとえば、コアネットワークノードである）実施形態においては、ネットワークノードを完全に仮想化可能である。
【０１３１】
上記機能は、本明細書に開示の実施形態の一部の特徴、機能、および／または利益の一部を実現するように動作する１つまたは複数のアプリケーション１８２０（あるいは、ソフトウェアインスタンス、仮想電気器具、ネットワーク機能、仮想ノード、仮想ネットワーク機能等と称し得る）によって実装可能である。アプリケーション１８２０は、処理回路１８６０およびメモリ１８９０を含むハードウェア１８３０を提供する仮想化環境１８００において実行される。メモリ１８９０は、処理回路１８６０による実行によって、本明細書に開示の特徴、利益、および／または機能のうちの１つまたは複数を提供するようにアプリケーション１８２０が動作し得る命令１８９５を含む。
【０１３２】
仮想化環境１８００は、一組の１つまたは複数のプロセッサまたは処理回路１８６０（民生（ＣＯＴＳ）プロセッサ、専用特定用途向け集積回路（ＡＳＩＣ）、またはデジタルもしくはアナログハードウェア構成要素もしくは専用プロセッサを含むその他任意の種類の処理回路が可能）を含む汎用または専用ネットワークハードウェアデバイス１８３０を備える。各ハードウェアデバイスは、メモリ１８９０−１（処理回路１８６０により実行される命令１８９５またはソフトウェアを一時的に格納する非永続メモリが可能）を備え得る。各ハードウェアデバイスは、物理的なネットワークインターフェース１８８０を含む１つまたは複数のネットワークインターフェースコントローラ（ＮＩＣ）１８７０（ネットワークインターフェースカードとしても知られる）を備え得る。また、各ハードウェアデバイスは、処理回路１８６０により実行されるソフトウェア１８９５または命令が格納された持続性永続マシン可読記憶媒体１８９０−２を含み得る。ソフトウェア１８９５としては、１つまたは複数の仮想化レイヤ１８５０（ハイパーバイザとも称する）をインスタンス化するソフトウェア、仮想マシン１８４０を実行するソフトウェア、ならびに本明細書に記載のいくつかの実施形態に関連して説明する機能、特徴、および／もしくは利益を実行可能にするソフトウェア等、任意の種類のソフトウェアが挙げられる。
【０１３３】
仮想マシン１８４０は、仮想プロセッサ、仮想メモリ、仮想ネットワークもしくはインターフェース、ならびに仮想ストレージを備え、対応する仮想化レイヤ１８５０またはハイパーバイザにより実行可能である。仮想マシン１８４０のうちの１つまたは複数においては、仮想電気器具１８２０のインスタンスの異なる実施形態を実装可能であり、また、異なる方法で実装可能である。
【０１３４】
動作時、処理回路１８６０は、ソフトウェア１８９５の実行によって、ハイパーバイザまたは仮想化レイヤ１８５０をインスタンス化するが、これは、仮想マシンモニタ（ＶＭＭ）と称し得る場合もある。仮想化レイヤ１８５０は、仮想マシン１８４０に対する類似のネットワークハードウェアとして現れる仮想動作プラットフォームを提示し得る。
【０１３５】
図１８に示すように、ハードウェア１８３０としては、一般または特定の構成要素を備えた独立型のネットワークノードが可能である。ハードウェア１８３０は、アンテナ１８２２５を備えるとともに、仮想化によって一部の機能を実装可能である。あるいは、ハードウェア１８３０は、（たとえば、データセンタまたは加入者宅内機器（ＣＰＥ）等における）大規模なハードウェア群の一部とすることも可能であって、多くのハードウェアノードが協働するとともに、とりわけアプリケーション１８２０のライフサイクル管理を監視するＭＡＮＯ（Ｍａｎａｇｅｍｅｎｔ  Ａｎｄ  Ｏｒｃｈｅｓｔｒａｔｉｏｎ）１８１００によって管理される。
【０１３６】
いくつかの文脈において、ハードウェアの仮想化は、ネットワーク機能仮想化（ＮＦＶ）と称する。ＮＦＶの使用によって、データセンタおよび加入者宅内機器に位置付け可能な業界標準の大容量サーバハードウェア、物理的スイッチ、および物理的ストレージに対して、ネットワーク機器の多くの種類を確立することができる。
【０１３７】
ＮＦＶの文脈において、仮想マシン１８４０としては、物理的な非仮想化マシン上で実行されているようにプログラムを実行する物理マシンのソフトウェア実施態様が可能である。仮想マシン１８４０および当該仮想マシンを実行するハードウェア１８３０の部分は、当該仮想マシン専用のハードウェアおよび／または当該仮想マシンが他の仮想マシン１８４０と共有するハードウェアである場合、別個の仮想ネットワーク要素（ＶＮＥ）を構成する。
【０１３８】
さらに、ＮＦＶの文脈において、仮想ネットワーク機能（ＶＮＦ）は、ハードウェアネットワークインフラ１８３０上の１つまたは複数の仮想マシン１８４０において動作する特定のネットワーク機能の処理を担うとともに、図１８のアプリケーション１８２０に対応する。
【０１３９】
いくつかの実施形態においては、それぞれが１つもしくは複数の送信機１８２２０ならびに１つもしくは複数の受信機１８２１０を具備する１つまたは複数の無線ユニット１８２００を１つまたは複数のアンテナ１８２２５に結合可能である。無線ユニット１８２００は、１つまたは複数の適当なネットワークインターフェースを介してハードウェアノード１８３０と直接通信可能であり、仮想コンポーネントと組み合わせた使用によって、無線アクセスノードまたは基地局等の無線機能を仮想ノードに提供可能である。
【０１４０】
いくつかの実施形態においては、代替としてハードウェアノード１８３０と無線ユニット１８２００との間の通信に使用可能な制御システム１８２３０の使用によって、一部のシグナリングを有効にすることができる。
【０１４１】
図１９を参照して、一実施形態によれば、通信システムは、無線アクセスネットワーク等のアクセスネットワーク１９１１およびコアネットワーク１９１４を含む３ＧＰＰ型のセルラーネットワーク等の遠隔通信ネットワーク１９１０を含む。アクセスネットワーク１９１１は、それぞれ対応するカバレッジエリア１９１３ａ、１９１３ｂ、１９１３ｃを規定するＮＢ、ｅＮＢ、ｇＮＢ、または他種の無線アクセスポイント等の複数の基地局１９１２ａ、１９１２ｂ、１９１２ｃを備える。各基地局１９１２ａ、１９１２ｂ、１９１２ｃは、有線または無線接続１９１５を介してコアネットワーク１９１４に接続可能である。カバレッジエリア１９１３ｃに位置付けられた第１のＵＥ１９９１は、対応する基地局１９１２ｃに対する無線接続または対応する基地局１９１２ｃによるページングが行われるように設定可能である。カバレッジエリア１９１３ａの第２のＵＥ１９９２は、対応する基地局１９１２ａに対して無線接続可能である。本例においては複数のＵＥ１９９１、１９９２を示すが、開示の実施形態は、単一のＵＥのみがカバレッジエリア中に存在する状況または単一のＵＥのみが対応する基地局１９１２につながっている状況にも等しく適用可能である。
【０１４２】
遠隔通信ネットワーク１９１０は、それ自体がホストコンピュータ１９３０に接続されているが、これは、独立型サーバ、クラウド実装サーバ、分散サーバのハードウェアおよび／もしくはソフトウェアにおける具現化またはサーバファームにおける処理リソースとしての具現化が可能である。ホストコンピュータ１９３０は、サービスプロバイダによる所有もしくは制御またはサービスプロバイダによる運用もしくはサービスプロバイダの代わりの運用が可能である。遠隔通信ネットワーク１９１０とホストコンピュータ１９３０との間の接続１９２１および１９２２は、コアネットワーク１９１４からホストコンピュータ１９３０までの直接的な延伸または任意選択としての中間ネットワーク１９２０を介した延伸が可能である。中間ネットワーク１９２０としては、パブリック、プライベート、またはホステッドネットワークのうちの１つまたはこれらのうちの２つ以上の組合せが可能である。中間ネットワーク１９２０が存在する場合は、バックボーンネットワークまたはインターネットが可能である。特に、中間ネットワーク１９２０は、２つ以上のサブネットワーク（図示せず）を含み得る。
【０１４３】
図１９の通信システムは全体として、接続ＵＥ１９９１、１９９２、およびホストコンピュータ１９３０間の接続を可能にする。この接続は、オーバー・ザ・トップ（ＯＴＴ）接続１９５０として説明可能である。ホストコンピュータ１９３０および接続ＵＥ１９９１、１９９２は、アクセスネットワーク１９１１、コアネットワーク１９１４、任意の中間ネットワーク１９２０、および中間段階として考え得る別のインフラ（図示せず）を用いることにより、ＯＴＴ接続１９５０を介してデータおよび／またはシグナリングを伝達するように設定されている。ＯＴＴ接続１９５０は、それが通過する参加通信デバイスがアップリンクおよびダウンリンク通信のルーティングを認識しない意味において、透明と考えられる。たとえば、基地局１９１２は、接続ＵＥ１９９１に転送（たとえば、ハンドオーバ）されるホストコンピュータ１９３０からのデータを伴う入力ダウンリンク通信の過去のルーティングについて、通知されなくてもよいし、その必要がなくてもよい。同様に、基地局１９１２は、ＵＥ１９９１からホストコンピュータ１９３０に向かう出力アップリンク通信の未来のルーティングを認識する必要がない。
【０１４４】
以下、図２０を参照して、各前項に記載のＵＥ、基地局、およびホストコンピュータの一実施形態に係る例示的な実施態様を説明する。通信システム２０００において、ホストコンピュータ２０１０は、通信システム２０００の異なる通信デバイスのインターフェースとの有線または無線接続をセットアップおよび維持するように設定された通信インターフェース２０１６を含むハードウェア２０１５を備える。ホストコンピュータ２０１０は、記憶および／または処理機能を有し得る処理回路２０１８をさらに備える。特に、処理回路２０１８は、命令を実行するように構成された１つまたは複数のプログラム可能プロセッサ、特定用途向け集積回路、フィールドプログラマブルゲートアレイ、またはこれらの組合せ（図示せず）を備え得る。ホストコンピュータ２０１０は、当該ホストコンピュータ２０１０に格納されるか、または、当該ホストコンピュータ２０１０によりアクセス可能かつ処理回路２０１８により実行可能なソフトウェア２０１１をさらに備える。ソフトウェア２０１１は、ホストアプリケーション２０１２を含む。ホストアプリケーション２０１２は、ＵＥ２０３０およびホストコンピュータ２０１０で終端するＯＴＴ接続２０５０を介してつながるＵＥ２０３０等のリモートユーザにサービスを提供するように動作可能となり得る。リモートユーザへのサービスの提供において、ホストアプリケーション２０１２は、ＯＴＴ接続２０５０を用いて送信されるユーザデータを提供可能である。
【０１４５】
また、通信システム２０００は、遠隔通信システムに設けられ、ホストコンピュータ２０１０およびＵＥ２０３０との通信を可能にするハードウェア２０２５を備えた基地局２０２０を含み得る。ハードウェア２０２５は、通信システム２０００の異なる通信デバイスのインターフェースとの有線または無線通信をセットアップおよび維持する通信インターフェース２０２６のほか、基地局２０２０がサーブするカバレッジエリア（図２０に示さず）に位置付けられたＵＥ２０３０との少なくとも無線の接続２０７０をセットアップおよび維持する無線インターフェース２０２７を具備し得る。通信インターフェース２０２６は、ホストコンピュータ２０１０への接続２０６０を容易化するように設定可能である。接続２０６０は、直接も可能であるし、遠隔通信システムのコアネットワーク（図２０に示さず）および／または遠隔通信システムの外側の１つまたは複数の中間ネットワークを通過することも可能である。また、図示の実施形態において、基地局２０２０のハードウェア２０２５は、命令を実行するように構成された１つまたは複数のプログラム可能プロセッサ、特定用途向け集積回路、フィールドプログラマブルゲートアレイ、またはこれらの組合せ（図示せず）を備え得る処理回路２０２８を含み得る。基地局２０２０は、内部に格納されたソフトウェア２０２１または外部接続を介してアクセス可能なソフトウェア２０２１をさらに有する。
【０１４６】
また、通信システム２０００は、すでに言及したＵＥ２０３０を含み得る。そのハードウェア２０３５は、ＵＥ２０３０が現在位置付けられているカバレッジエリアをサーブする基地局との無線接続２０７０をセットアップおよび維持するように設定された無線インターフェース２０３７を含み得る。また、ＵＥ２０３０のハードウェア２０３５は、命令を実行するように構成された１つまたは複数のプログラム可能プロセッサ、特定用途向け集積回路、フィールドプログラマブルゲートアレイ、またはこれらの組合せ（図示せず）を備え得る処理回路２０３８を含み得る。ＵＥ２０３０は、当該ＵＥ２０３０に格納されるか、または、当該ＵＥ２０３０によりアクセス可能かつ処理回路２０３８により実行可能なソフトウェア２０３１をさらに備える。ソフトウェア２０３１は、クライアントアプリケーション２０３２を含む。クライアントアプリケーション２０３２は、ホストコンピュータ２０１０の補助により、ＵＥ２０３０を介して人間または人間以外のユーザにサービスを提供するように動作可能となり得る。ホストコンピュータ２０１０においては、ＵＥ２０３０および当該ホストコンピュータ２０１０で終端するＯＴＴ接続２０５０を介して、実行ホストアプリケーション２０１２が実行クライアントアプリケーション２０３２と通信可能である。ユーザへのサービスの提供において、クライアントアプリケーション２０３２は、ホストアプリケーション２０１２からリクエストデータを受信し、このリクエストデータに応答してユーザデータを提供することができる。ＯＴＴ接続２０５０は、リクエストデータおよびユーザデータの両者を伝送可能である。クライアントアプリケーション２０３２は、ユーザとの相互作用により、提供するユーザデータを生成することができる。
【０１４７】
なお、図２０に示すホストコンピュータ２０１０、基地局２０２０、およびＵＥ２０３０はそれぞれ、図１９のホストコンピュータ１９３０、基地局１９１２ａ、１９１２ｂ、１９１２ｃのうちの１つ、およびＵＥ１９９１、１９９２の一方と類似または同一のものが可能である。すなわち、これらのエンティティの内部作用は、図２０に示す通りが可能である一方、これとは無関係に、周囲のネットワークトポロジは、図１９のものが可能である。
【０１４８】
図２０においては、如何なる中間段階デバイスおよびこれらのデバイスを介したメッセージの厳密なルーティングも明示的に参照することなく、基地局２０２０を介したホストコンピュータ２０１０とＵＥ２０３０との間の通信を示すため、ＯＴＴ接続２０５０を抽象的に描画している。ネットワークインフラがルーティングを決定可能であるが、これは、ＵＥ２０３０もしくはサービスプロバイダが運用するホストコンピュータ２０１０、またはその両者から見えないように設定可能である。ＯＴＴ接続２０５０がアクティブである間に、ネットワークインフラは、（たとえば、ネットワークの負荷分散の考慮または再設定に基づいて）ルーティングを動的に変更する決定をさらに行うことができる。
【０１４９】
ＵＥ２０３０と基地局２０２０との間の無線接続２０７０は、本開示全体に記載の実施形態の教示内容に従う。種々の実施形態のうちの１つまたは複数により、ＯＴＴ接続２０５０によってＵＥ２０３０に提供されるＯＴＴサービスの性能が向上するが、無線接続２０７０はその最新部分を構成する。より厳密に、本明細書に開示の例示的な実施形態によれば、５Ｇネットワークの外部のＯＴＴデータアプリケーションまたはサービス等、ユーザ機器（ＵＥ）と別のエンティティとの間のデータセッションと関連付けられたデータフロー（それぞれの対応する無線ベアラを含む）のエンド・ツー・エンドサービス品質（ＱｏＳ）をモニタリングするネットワークの柔軟性が向上し得る。これらの利点および他の利点によって、５Ｇ／ＮＲソリューションの時宜を得た設計、実装、および展開が容易化され得る。さらに、このような実施形態によって、データセッションＱｏＳの柔軟かつ時宜を得た制御が容易化され、５Ｇ／ＮＲに想定されるとともにＯＴＴサービスの成長にとって重要な容量、スループット、レイテンシ等が改善され得る。
【０１５０】
１つまたは複数の実施形態により改善されるデータレート、レイテンシ、および他のネットワーク運用態様のモニタリングを目的として、測定手順を提供可能である。さらには、測定結果の変動に応じて、ホストコンピュータ２０１０とＵＥ２０３０との間のＯＴＴ接続２０５０を再設定する任意選択としてのネットワーク機能が存在し得る。ＯＴＴ接続２０５０を再設定する測定手順および／またはネットワーク機能は、ホストコンピュータ２０１０のソフトウェア２０１１およびハードウェア２０１５もしくはＵＥ２０３０のソフトウェア２０３１およびハードウェア２０３５、またはその両者において実装可能である。実施形態においては、ＯＴＴ接続２０５０が通過する通信デバイス中または通信デバイスとの関連でセンサ（図示せず）を展開可能である。センサは、上記例示のモニタリング量の値またはソフトウェア２０１１、２０３１がモニタリング量を演算もしくは推定可能な他の物理量の値を供給することによって、測定手順に関与し得る。ＯＴＴ接続２０５０の再設定には、メッセージフォーマット、再送信設定、好ましいルーティング等を含み得る。この再設定は、基地局２０２０に影響を及ぼす必要がなく、基地局２０２０が把握も感知もできない。このような手順および機能は、当技術分野において既知かつ実行可能である。特定の実施形態においては、ホストコンピュータ２０１０のスループット、伝搬時間、レイテンシ等の測定を容易化する独占的なＵＥシグナリングを測定に伴い得る。測定は、伝搬時間、エラー等をモニタリングしつつ、ＯＴＴ接続２０５０を用いることにより、特に空のメッセージすなわち「ダミー」メッセージとしてソフトウェア２０１１および２０３１がメッセージを送信するように実装可能である。
【０１５１】
図２１は、一実施形態に係る、通信システムにおいて実装される例示的な方法および／または手順を示すフローチャートである。通信システムは、ホストコンピュータ、基地局、およびＵＥを具備しており、いくつかの実施形態においては、図１９および図２０を参照して説明したものが可能である。本開示の簡素化のため、本項においては、図２１のみを参照する。ステップ２１１０において、ホストコンピュータは、ユーザデータを提供する。ステップ２１１０のサブステップ２１１１（任意選択として可能）において、ホストコンピュータは、ホストアプリケーションの実行によりユーザデータを提供する。ステップ２１２０において、ホストコンピュータは、ユーザデータをＵＥに搬送する送信を開始する。ステップ２１３０（任意選択として可能）において、基地局は、本開示全体に記載の実施形態の教示内容に従って、ホストコンピュータが開始した送信において搬送されたユーザデータをＵＥに送信する。ステップ２１４０（同じく任意選択として可能）において、ＵＥは、ホストコンピュータが実行するホストアプリケーションと関連付けられたクライアントアプリケーションを実行する。
【０１５２】
図２２は、一実施形態に係る、通信システムにおいて実装される例示的な方法および／または手順を示すフローチャートである。通信システムは、ホストコンピュータ、基地局、およびＵＥを具備しており、図１９および図２０を参照して説明したものが可能である。本開示の簡素化のため、本項においては、図２２のみを参照する。この方法のステップ２２１０において、ホストコンピュータは、ユーザデータを提供する。任意選択としてのサブステップ（図示せず）において、ホストコンピュータは、ホストアプリケーションの実行によりユーザデータを提供する。ステップ２２２０において、ホストコンピュータは、ユーザデータをＵＥに搬送する送信を開始する。この送信は、本開示全体に記載の実施形態の教示内容に従って、基地局を通過し得る。ステップ２２３０（任意選択として可能）において、ＵＥは、上記送信において搬送されたユーザデータを受信する。
【０１５３】
図２３は、一実施形態に係る、通信システムにおいて実装される例示的な方法および／または手順を示すフローチャートである。通信システムは、ホストコンピュータ、基地局、およびＵＥを具備しており、図１９および図２０を参照して説明したものが可能である。本開示の簡素化のため、本項においては、図２３のみを参照する。ステップ２３１０（任意選択として可能）において、ＵＥは、ホストコンピュータにより提供された入力データを受信する。この追加または代替として、ステップ２３２０において、ＵＥは、ユーザデータを提供する。ステップ２３２０のサブステップ２３２１（任意選択として可能）において、ＵＥは、クライアントアプリケーションの実行によりユーザデータを提供する。ステップ２３１０のサブステップ２３１１（任意選択として可能）において、ＵＥは、ホストコンピュータにより提供された受信入力データに応じてユーザデータを提供するクライアントアプリケーションを実行する。ユーザデータの提供において、実行されるクライアントアプリケーションは、ユーザから受信されるユーザ入力をさらに考慮し得る。ユーザデータが提供された具体的様態に関わらず、ＵＥは、サブステップ２３３０（任意選択として可能）において、ユーザデータのホストコンピュータへの送信を開始する。この方法のステップ２３４０において、ホストコンピュータは、本開示全体に記載の実施形態の教示内容に従って、ＵＥから送信されたユーザデータを受信する。
【０１５４】
図２４は、一実施形態に係る、通信システムにおいて実装される例示的な方法および／または手順を示すフローチャートである。通信システムは、ホストコンピュータ、基地局、およびＵＥを具備しており、図１９および図２０を参照して説明したものが可能である。本開示の簡素化のため、本項においては、図２４のみを参照する。ステップ２４１０（任意選択として可能）において、基地局は、本開示全体に記載の実施形態の教示内容に従って、ＵＥからユーザデータを受信する。ステップ２４２０（任意選択として可能）において、基地局は、受信したユーザデータのホストコンピュータへの送信を開始する。ステップ２４３０（任意選択として可能）において、ホストコンピュータは、基地局が開始した送信において搬送されたユーザデータを受信する。
【０１５５】
本明細書に記載の通り、デバイスおよび／または装置は、半導体チップ、チップセット、またはこのようなチップもしくはチップセットを備えた（ハードウェア）モジュールにより表し得るが、これは、ハードウェア実装の代わりに、プロセッサ上で実行または動作する実行可能なソフトウェアコード部を含むコンピュータプログラムまたはコンピュータプログラム製品等のソフトウェアモジュールとしてデバイスまたは装置の機能が実装される可能性を除外するものではない。さらに、デバイスまたは装置の機能は、ハードウェアおよびソフトウェアの如何なる組合せによっても実装可能である。また、デバイスまたは装置は、互いに機能的に協働するか独立するかに関わらず、複数のデバイスおよび／または装置のアセンブリと見なし得る。さらに、デバイスおよび装置は、デバイスまたは装置の機能が保たれる限りにおいて、システム全体に分散して実装可能である。このような原理および類似の原理は、当業者に既知と考えられる。
【０１５６】
本明細書において使用されている用語「ネットワークノード」は、無線ネットワークにおける如何なる種類のネットワークノードも可能であり、基地局（ＢＳ）、無線基地局、基地トランシーバ局（ＢＴＳ）、基地局コントローラ（ＢＳＣ）、無線ネットワークコントローラ（ＲＮＣ）、ｇＮｏｄｅＢ（ｇＮＢ）、エボルブドノードＢ（ｅＮＢまたはｅＮｏｄｅＢ）、ノードＢ、ＭＳＲ  ＢＳ等のマルチスタンダード無線（ＭＳＲ）無線ノード、マルチセル／マルチキャスト協調エンティティ（ＭＣＥ）、中継ノード、ドナーノード制御中継装置、、無線アクセスポイント（ＡＰ）、送信ポイント、送信ノード、リモートラジオユニット（ＲＲＵ）、リモート無線ヘッド（ＲＲＨ）、コアネットワークノード（たとえば、モバイル管理エンティティ（ＭＭＥ）、自己組織化ネットワーク（ＳＯＮ）ノード、調整ノード、位置決めノード、ＭＤＴノード等）、外部ノード（たとえば、サードパーティノード、現行ネットワークの外部のノード）、分散アンテナシステム（ＤＡＳ）のノード、スペクトルアクセスシステム（ＳＡＳ）ノード、エレメント管理システム（ＥＭＳ）等のいずれかをさらに含み得る。また、ネットワークノードは、テスト機器を備えていてもよい。
【０１５７】
本明細書において、「無線アクセスノード」（または、「無線ネットワークノード」）としては、信号を無線送信および／または受信するように動作する無線アクセスネットワーク（ＲＡＮ）中の如何なるノードも可能である。無線アクセスノードのいくつかの例としては、基地局（たとえば、３ＧＰＰ第５世代（５Ｇ）新無線（ＮＲ）ネットワーク中のＮＲ基地局（ｇＮＢ）または３ＧＰＰ  ＬＴＥネットワーク中のｅＮＢ）、高電力すなわちマクロ基地局、低電力基地局（たとえば、マイクロ基地局、ピコ基地局、ホームｅＮＢ等）、中継ノード、アクセスポイント（ＡＰ）、無線ＡＰ、リモートラジオユニット（ＲＲＵ）、リモート無線ヘッド（ＲＲＨ）、マルチスタンダードＢＳ（たとえば、ＭＳＲ  ＢＳ）、マルチセル／マルチキャスト協調エンティティ（ＭＣＥ）、基地トランシーバ局（ＢＴＳ）、基地局コントローラ（ＢＳＣ）、ネットワークコントローラ、ノードＢ（ＮＢ）等が挙げられるが、これらに限定されない。また、このような用語は、ｇＮＢ−ＣＵおよび／またはｇＮＢ−ＤＵ等、ノードの構成要素の参照にも使用可能である。
【０１５８】
本明細書において、用語「無線ノード」は、無線デバイス（ＷＤ）または無線ネットワークノードを表し得る。
【０１５９】
本明細書において、「コアネットワークノード」としては、コアネットワーク中に如何なる種類のノードも可能である。コアネットワークノードのいくつかの例としては、たとえばモビリティ管理エンティティ（ＭＭＥ）、パケットデータネットワークゲートウェイ（Ｐ−ＧＷ）、サービス能力公開機能（ＳＣＥＦ）、アクセス・モビリティ管理機能（ＡＭＦ）、ユーザプレーン機能（ＵＰＦ）、ホーム加入者サーバ（ＨＳＳ）等が挙げられる。
【０１６０】
本明細書において、「ネットワークノード」は、セルラー通信ネットワーク／システム等の無線通信システムの無線アクセスネットワーク（たとえば、「無線ネットワークノード」もしくは「無線アクセスノード」）またはコアネットワーク（たとえば、「コアネットワークノード」）の一部である任意のノードである。
【０１６１】
いくつかの実施形態においては、非限定的な用語「無線デバイス（ＷＤ）」または「ユーザ機器（ＵＥ）」を区別なく使用する。本明細書において、ＷＤとしては、無線デバイス（ＷＤ）等、無線信号を介してネットワークノードまたは別のＷＤと通信可能な任意の種類の無線デバイスが可能である。また、ＷＤは、無線通信デバイス、ターゲットデバイス、デバイス間（Ｄ２Ｄ）ＷＤ、マシンタイプＷＤもしくはマシン間通信（Ｍ２Ｍ）が可能なＷＤ、低コストおよび／もしくは低複雑性ＷＤ、ＷＤ搭載センサ、タブレット、モバイル端末、スマートフォン、ラップトップ組込型機器（ＬＥＥ）、ラップトップ搭載型機器（ＬＭＥ）、ＵＳＢドングル、加入者宅内機器（ＣＰＥ）、インターネット・オブ・シングス（ＩｏＴ）デバイス、または狭帯域ＩｏＴ（ＮＢ−ＩｏＴ）デバイス等であってもよい。
【０１６２】
いくつかの実施形態において、用語「スロット」は、無線リソースを示すのに使用するが、本明細書に記載の技術は、時間の長さの観点で表現される任意の種類の物理リソースまたは無線リソース等、他の種類の無線リソースと有利に併用可能であることが了解されるものとする。時間リソースの例は、シンボル、時間するっと、ミニスロット、サブフレーム、無線フレーム、送信時間間隔（ＴＴＩ）、インターリーブ時間、時間リソース番号等である。
【０１６３】
いくつかの実施形態において、送信機（たとえば、ネットワークノード）および受信機（たとえば、ＷＤ）は事前に、リソースの送信時に１つまたは複数の物理チャネルを配置するリソースを決定するルールに同意する。いくつかの実施形態において、このルールは、「マッピング」と称する場合もある。他の実施形態において、用語「マッピング」は、他の意味を有する場合もある。
【０１６４】
本明細書において、「チャネル」としては、論理的なトランスポートチャネルまたは物理チャネルが可能である。チャネルは、１つもしくは複数のキャリア、特に複数のサブキャリアを含むことならびに／または１つもしくは複数のキャリア、特に複数のサブキャリア上の配置が可能である。制御シグナリング／制御情報を搬送するチャネルおよび／または搬送するためのチャネルは、特に、物理レイヤチャネルである場合および／または制御プレーン情報を搬送する場合、制御チャネルと考えられる。同様に、データシグナリング／ユーザ情報を搬送するチャネルおよび／または搬送するためのチャネルは、特に、物理レイヤチャネルである場合および／またはユーザプレーン情報を搬送する場合、データチャネル（たとえば、ＰＤＳＣＨ）と考えられる。チャネルは、特定の通信方向に対して規定されるようになっていてもよいし、２つの補完的な通信方向（たとえば、ＵＬおよびＤＬまたは２つの方向のサイドリンク）に対して規定されるようになっていてもよく、この場合は、各方向に１つずつ、２つのコンポートチャネルを有するものと考えられる。
【０１６５】
さらに、本明細書においては、用語「セル」を使用するが、（特に５Ｇ  ＮＲに関しては）セルの代わりにビームを使用可能であり、このため、本明細書に記載の概念がセルおよびビームの両者に等しく当てはまることが理解されなければならない。
【０１６６】
なお、本開示においては、たとえば３ＧＰＰ  ＬＴＥおよび／または新無線（ＮＲ）等のある特定の無線システムに由来する専門用語を使用可能であるが、これは、本開示の範囲を前述のシステムのみに制限するものと捉えるべきではない。本明細書に記載の概念、原理、および／または実施形態の利用により、他の無線システムも利益を享受することができ、広帯域符号分割多重アクセス（ＷＣＤＭＡ）、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、超モバイル広帯域（ＵＭＢ）、およびＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）が挙げられるが、これらに限定されない。
【０１６７】
さらに、無線デバイスまたはネットワークノードが実行するものとして本明細書に記載の機能は、複数の無線デバイスおよび／またはネットワークノードに分散していてもよい。言い換えると、本明細書に記載のネットワークノードおよび無線デバイスの機能は、単一の物理デバイスによる実行に限定されず、実際には、複数の物理デバイスに分散可能と考えられる。
【０１６８】
別段の定めのない限り、本明細書において使用するすべての用語（技術用語および科学用語を含む）は、本開示が属する技術分野の当業者が一般的に理解するのと同じ意味を有する。さらに、本明細書において使用する用語は、本明細書および関連技術の文脈におけるそれぞれの意味と合致する意味を有するものと解釈されるべきであり、本明細書におけるその旨の明示的な定めのない限りは、理想化された、または過度に形式張った意味合いで解釈されないことが了解される。
【０１６９】
また、本明細書、図面、およびその例示的な実施形態を含む本開示において使用する特定の用語は、特定の実例においても同意語として使用可能であり、たとえばデータおよび情報が挙げられるが、これらに限定されない。互いに同意語となり得るこれらの単語および／または他の単語は、本明細書で同意語として使用可能であるものの、このような単語が同意語としての使用を意図し得ない実例が存在し得ることが了解されるものとする。さらに、従来技術の知識は、本明細書に明示的に援用されていない場合、そのすべての内容を本明細書に明示的に援用する。参照したすべての刊行物は、そのすべての内容を本明細書に援用する。
【０１７０】
以上は、本開示の原理を示しているに過ぎない。本明細書の教示内容を考慮して、当業者には、上記実施形態の種々の改良および変更が明らかとなるであろう。したがって、当然のことながら、当業者であれば、本明細書には明示的に図示も記載もしていないものの、本開示の原理を具現化するとともに、本開示の主旨および範囲に含まれ得る多くのシステム、構成、および手順を考案し得るであろう。当業者により了解されるべきこととして、種々の例示的な実施形態は、相互一体的に使用するほか、相互に区別なく使用可能である。
【０１７１】
本開示の例示的な実施形態は、以下に列挙するものを含むが、これらに限定されない。
【０１７２】
１．無線通信ネットワークのネットワークノードにより、ユーザ機器（ＵＥ）に対して、１つまたは複数の別のＵＥと共有される通信チャネルの周波数領域リソースを配分する方法であって、
共有チャネルを介した通信に使用可能なアクティブキャリア帯域幅部分（ＢＷＰ）をＵＥに対して決定することと、
アクティブＢＷＰ内の１つまたは複数の周波数領域リソースブロック（ＲＢ）を選択することと、
複数の利用可能なビットを用いて、１つまたは複数の選択ＲＢの指標を符号化することであり、複数の利用可能なビットが、ＵＥまたは１つもしくは複数の別のＵＥに配分可能なアクティブＢＷＰ内のＲＢのすべての組合せの符号化に不十分である、１つまたは複数の選択ＲＢの指標を符号化することと、
ダウンリンク制御チャネルを介して、符号化指標をＵＥに送信することと、
を含む、方法。
【０１７３】
２．アクティブＢＷＰが、ＵＥが使用するように設定された複数のＢＷＰのうちの１つである、実施形態１に記載の方法。
【０１７４】
３．指標が、開始仮想リソースブロック（ＲＢｓｔａｒｔ）および隣接割り当てリソースブロック長（ＬＲＢｓ）を含む、実施形態２に記載の方法。
【０１７５】
４．複数の利用可能なビットが、
2021508958.tif 000131
未満であり、
2021508958.tif 000132
が、アクティブＢＷＰ中のＲＢ数である、実施形態３に記載の方法。
【０１７６】
５．指標が、すべての考え得る隣接割り当てリソースブロック長
2021508958.tif 000133
を示すのに使用可能であり、
開始仮想リソースブロック（ＲＢｓｔａｒｔ）が、αＲＢの分解能で符号化される、
実施形態４に記載の方法。
【０１７７】
６．開始仮想リソースブロックの分解能（α）が、アクティブＢＷＰを構成するＲＢの数と、
ＵＥが使用するように設定された複数のＢＷＰのうちの別の１つを構成するＲＢの数と、
複数の利用可能なビットがサポートし得るＢＷＰの最大サイズと、
の一方との関係に基づいて決定される、実施形態４に記載の方法。
【０１７８】
７．指標が、
2021508958.tif 000134
（ただし、
2021508958.tif 000135
）以下の開始仮想リソースブロックと、
Ｌｍｉｎ以上の長さと、
を示すのに使用可能である、実施形態４に記載の方法。
【０１７９】
８．指標が、
2021508958.tif 000136
以下の開始仮想リソースブロックと、
Ｌｍａｘ以下（ただし、Ｌｍａｘは、
アクティブＢＷＰ中のＲＢ数と、
ＵＥが使用するように設定された複数のＢＷＰのうちの別の１つを構成するＲＢの数と、
複数の利用可能なビットがサポートし得るＢＷＰの最大サイズと、
の一方との小さい方以下である）の長さと、
を示すのに使用可能である、実施形態４に記載の方法。
【０１８０】
９．指標の符号化によって、それぞれが開始仮想リソースブロック（ＲＢｓｔａｒｔ）および隣接割り当てリソースブロック長（ＬＲＢｓ）を含む特定のリソース組合せを除外するように設定された特定のパンクチャリングパターンを示すことをさらに含む、実施形態１に記載の方法。
【０１８１】
１０．開始仮想リソースブロック（ＲＢｓｔａｒｔ）が、ＫＳＲＢの分解能で符号化され、隣接割り当てリソースブロック長（ＬＲＢｓ）が、ＫＬＲＢの分解能で符号化される、実施形態３に記載の方法。
【０１８２】
１１．指標が、ＲＢｓｔａｒｔの最小値としてゼロを表し、ＬＲＢｓの最小値としてＫＬを表すのに使用可能である、実施形態１０に記載の方法。
【０１８３】
１２．アクティブＢＷＰが、
2021508958.tif 000137
を含み、
複数の利用可能なビットが、ＵＥが使用するように設定された複数のＢＷＰのうちの別の１つを構成するＲＢの数
2021508958.tif 000138
に基づいて決定される、実施形態３に記載の方法。
【０１８４】
１３．ＫＳおよびＫＬの少なくとも一方が、
2021508958.tif 000139
と
2021508958.tif 000140
との間の比の関数に基づいて決定される、実施形態１２に記載の方法。
【０１８５】
１４．ＫＳおよびＫＬがともに、
2021508958.tif 000141
と
2021508958.tif 000142
との間の比の関数が特定の閾値を下回る場合に決定される、実施形態１３に記載の方法。
【０１８６】
１５．ＫＳおよびＫＬの少なくとも一方が、１に等しく、ＫＳおよびＫＬの他方が、
2021508958.tif 000143
と
2021508958.tif 000144
との間の比の二乗の関数に基づいて決定される、実施形態１２に記載の方法。
【０１８７】
１６．ユーザ機器（ＵＥ）により、無線通信ネットワークのネットワークノードから、１つまたは複数の別のＵＥと共有される通信チャネルの周波数領域リソースの配分を受信する方法であって、
共有チャネルを介した通信に使用可能なアクティブキャリア帯域幅部分（ＢＷＰ）の指標を受信することと、
ダウンリンク制御チャネルを介して、アクティブＢＷＰ内のＵＥに配分された１つまたは複数の周波数領域リソースブロック（ＲＢ）の指標を受信することであり、指標が、ＵＥまたは１つもしくは複数の別のＵＥに配分可能なアクティブＢＷＰ内のＲＢのすべての組合せの符号化に不十分な複数のビットで符号化される、アクティブＢＷＰ内のＵＥに配分された１つまたは複数の配分周波数領域ＲＢの指標を受信することと、
指標を復号化して、ＵＥに配分された１つまたは複数の周波数領域リソースブロック（ＲＢ）を指定する開始仮想リソースブロック（ＲＢｓｔａｒｔ）および隣接割り当てリソースブロック長（ＬＲＢｓ）を取得することと、
配分ＲＢを用いて、データを送信または受信することと、
を含む、方法。
【０１８８】
１７．アクティブＢＷＰが、ＵＥが使用するように設定された複数のＢＷＰのうちの１つである、実施形態１６に記載の方法。
【０１８９】
１８．複数の利用可能なビットが、
2021508958.tif 000145
未満であり、
2021508958.tif 000146
が、アクティブＢＷＰ中のＲＢ数である、実施形態１６に記載の方法。
【０１９０】
１９．指標が、すべての考え得る隣接割り当てリソースブロック長
2021508958.tif 000147
を示すのに使用可能であり、
開始仮想リソースブロック（ＲＢｓｔａｒｔ）が、αＲＢの分解能で符号化される、
実施形態１８に記載の方法。
【０１９１】
２０．開始仮想リソースブロックの分解能（α）が、アクティブＢＷＰを構成するＲＢの数と、
ＵＥが使用するように設定された複数のＢＷＰのうちの別の１つを構成するＲＢの数と、
複数の利用可能なビットがサポートし得るＢＷＰの最大サイズと、
の一方との関係に基づいて決定される、実施形態１８に記載の方法。
【０１９２】
２１．指標が、
2021508958.tif 000148
（ただし、
2021508958.tif 000149
）以下の開始仮想リソースブロックと、
Ｌｍｉｎ以上の長さと、
を示すのに使用可能である、実施形態１８に記載の方法。
【０１９３】
２２．指標が、
2021508958.tif 000150
以下の開始仮想リソースブロックと、
Ｌｍａｘ以下（ただし、Ｌｍａｘは、
アクティブＢＷＰ中のＲＢ数と、
ＵＥが使用するように設定された複数のＢＷＰのうちの別の１つを構成するＲＢの数と、
複数の利用可能なビットがサポートし得るＢＷＰの最大サイズと、
の一方との小さい方以下である）の長さと、
を示すのに使用可能である、実施形態１８に記載の方法。
【０１９４】
２３．受信した指標の符号化によって、それぞれが開始仮想リソースブロック（ＲＢｓｔａｒｔ）および隣接割り当てリソースブロック長（ＬＲＢｓ）を含む特定のリソース組合せを除外するように設定された特定のパンクチャリングパターンを示す、実施形態１６に記載の方法。
【０１９５】
２４．開始仮想リソースブロック（ＲＢｓｔａｒｔ）が、ＫＳＲＢの分解能で符号化され、隣接割り当てリソースブロック長（ＬＲＢｓ）が、ＫＬＲＢの分解能で符号化される、実施形態１６に記載の方法。
【０１９６】
２５．指標が、ＲＢｓｔａｒｔの最小値としてゼロを表し、ＬＲＢｓの最小値としてＫＬを表すのに使用可能である、実施形態２４に記載の方法。
【０１９７】
２６．アクティブＢＷＰが、
2021508958.tif 000151
を含み、
複数の利用可能なビットが、ＵＥが使用するように設定された複数のＢＷＰのうちの別の１つを構成するＲＢの数
2021508958.tif 000152
に基づいて決定される、実施形態１７に記載の方法。
【図１】
2021508958.tif 000177
【図２】
2021508958.tif 000178
【図３】
2021508958.tif 000179
【図４】
2021508958.tif 000180
【図５】
2021508958.tif 000181
【図６】
2021508958.tif 000182
【図７】
2021508958.tif 000183
【図８】
2021508958.tif 000184
【図９】
2021508958.tif 000185
【図１０】
2021508958.tif 000186
【図１１】
2021508958.tif 000187
【図１２】
2021508958.tif 000188
【図１３】
2021508958.tif 000189
【図１４】
2021508958.tif 000190
【図１５】
2021508958.tif 000191
【図１６】
2021508958.tif 000192
【図１７】
2021508958.tif 000193
【図１８】
2021508958.tif 000194
【図１９】
2021508958.tif 000195
【図２０】
2021508958.tif 000196
【図２１】
2021508958.tif 000197
【図２２】
2021508958.tif 000198
【図２３】
2021508958.tif 000199
【図２４】
2021508958.tif 000200
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
無線通信ネットワークのネットワークノードと通信するように構成されたユーザ機器（ＵＥ）であって、前記ＵＥが、
前記ＵＥに電力を供給するように構成された電力供給回路と、
前記ネットワークノードと通信するように構成されたトランシーバ回路と、
前記トランシーバ回路と動作可能に結合された処理回路と
を備え、それにより、前記処理回路と前記トランシーバ回路は、
前記ネットワークノードから、共有される通信チャネルを介した通信に使用可能なアクティブ帯域幅部分（ＢＷＰ）の第１の指標を受信することと、ここで前記アクティブＢＷＰは
2021508958.tif 000201
周波数領域リソースブロック（ＲＢ）を含む、
ダウンリンク制御チャネルを介して、前記アクティブＢＷＰ内の１つまたは複数の配分ＲＢの第２の指標を受信することと、ここで前記第２の指標は複数のビットで符号化され、前記複数のビットは前記アクティブＢＷＰ以外のＢＷＰ内のＲＢの総数、
2021508958.tif 000202
に関連し、前記複数のビットは、前記アクティブＢＷＰ内のＲＢのすべての配分可能な組合せの符号化に不十分である、
前記アクティブＢＷＰ内の前記１つまたは複数の配分ＲＢを得るために前記第２の指標を復号することと、
を含む、ＵＥ。
【請求項２】
前記複数のビットが、
2021508958.tif 000203
未満である、請求項１に記載のＵＥ。
【請求項３】
前記１つまたは複数の配分ＲＢが、開始仮想リソースブロック（ＲＢｓｔａｒｔ）および隣接割り当てリソースブロック長（ＬＲＢｓ）によって表され、
前記開始仮想リソースブロック（ＲＢｓｔａｒｔ）が、ＫＳＲＢの分解能で符号化され、
前記隣接割り当てリソースブロック長（ＬＲＢｓ）が、ＫＬＲＢの分解能で符号化され、
ＫＳとＫＬが整数である、請求項１に記載のＵＥ。
【請求項４】
ＫＳが、ＫＬに等しい、請求項３に記載のＵＥ。
【請求項５】
前記第２の指標が、
当該第２の指標が表し得る前記ＲＢｓｔａｒｔの最小値がゼロで、
当該第２の指標が表し得る前記ＬＲＢｓの最小値がＫＬ
となるように符号化される、請求項３に記載のＵＥ。
【請求項６】
ＫＳおよびＫＬの少なくとも一方が、
2021508958.tif 000204
を
2021508958.tif 000205
で除した数の関数に基づいて決定される、請求項３に記載のＵＥ。
【請求項７】
前記関数が、床関数、天井関数、および丸め関数のうちの１つである、請求項６に記載のＵＥ。
【請求項８】
ＫＳおよびＫＬがともに、
2021508958.tif 000206
を
2021508958.tif 000207
で除した数の前記関数が特定の閾値を下回る場合に、１に等しいものと決定される、請求項６に記載のＵＥ。
【請求項９】
前記第２の指標が、
2021508958.tif 000208
の場合に
2021508958.tif 000209
に、および
その他の場合に
2021508958.tif 000210
に従って符号化され、ここにおいて
2021508958.tif 000211
であり、ＲＢ’ｓｔａｒｔ＝ＲＢｓｔａｒｔ／ＫＳ、およびＬ’ＲＢｓ＝ＬＲＢｓ／ＫＬである、請求項３に記載のＵＥ。
【請求項１０】
前記処理回路および前記トランシーバ回路が、前記ネットワークノードにより、前記アクティブＢＷＰ内の前記１つまたは複数の配分ＲＢを用いて、データを送信または受信するようにさらに構成されている、請求項１に記載のＵＥ。
【請求項１１】
ユーザ機器（ＵＥ）により、無線通信ネットワークのネットワークノードから、１つまたは複数の別のＵＥと共有される通信チャネルの周波数領域リソースの配分を受信する方法であって、
前記ネットワークノードから、前記共有される通信チャネルを介した通信に使用可能なアクティブ帯域幅部分（ＢＷＰ）の第１の指標を受信することと、ここで前記アクティブＢＷＰは
2021508958.tif 000212
周波数領域リソースブロック（ＲＢ）を含む、
ダウンリンク制御チャネルを介して、前記アクティブＢＷＰ内の１つまたは複数の配分ＲＢの第２の指標を受信することと、ここで前記第２の指標は複数のビットで符号化され、前記複数のビットは前記アクティブＢＷＰ以外のＢＷＰ内のＲＢの総数、
2021508958.tif 000213
に関連し、前記複数のビットは、前記アクティブＢＷＰ内のＲＢのすべての配分可能な組合せの符号化に不十分である、
前記アクティブＢＷＰ内の前記１つまたは複数の配分ＲＢを取得するために、前記第２の指標を復号することと、
を含む、方法。
【請求項１２】
前記１つまたは複数の配分ＲＢが、開始仮想リソースブロックＲＢｓｔａｒｔおよび隣接割り当てリソースブロック長ＬＲＢｓによって表され、
前記開始仮想リソースブロック（ＲＢｓｔａｒｔ）が、ＫＳＲＢの分解能で符号化され、
前記隣接割り当てリソースブロック長（ＬＲＢｓ）が、ＫＬＲＢの分解能で符号化され、
ＫＳとＫＬが整数である、請求項１１に記載の方法。
【請求項１３】
ＫＳが、ＫＬに等しい、請求項１２に記載の方法。
【請求項１４】
前記第２の指標が、
当該第２の指標が表し得るＲＢｓｔａｒｔの最小値がゼロで、
当該第２の指標が表し得るＬＲＢｓの最小値がＫＬ
となるように符号化される、請求項１２に記載の方法。
【請求項１５】
ＫＳおよびＫＬの少なくとも一方が、
2021508958.tif 000214
を
2021508958.tif 000215
で除した数の関数に基づいて決定される、請求項１２に記載の方法。
【請求項１６】
ＫＳおよびＫＬがともに、
2021508958.tif 000216
を
2021508958.tif 000217
で除した数の前記関数が特定の閾値を下回る場合に、１に等しいものと決定される、請求項１５に記載の方法。
【請求項１７】
前記第２の指標が、
2021508958.tif 000218
の場合に
2021508958.tif 000219
に、および
その他の場合に
2021508958.tif 000220
に従って符号化され、ここにおいて
2021508958.tif 000221
であり、ＲＢ’ｓｔａｒｔ＝ＲＢｓｔａｒｔ／ＫＳ、およびＬ’ＲＢｓ＝ＬＲＢｓ／ＫＬである、請求項１２に記載の方法。
【請求項１８】
前記ネットワークノードにより、前記アクティブＢＷＰ内の前記１つまたは複数の配分ＲＢを用いて、データを送信または受信することをさらに含む、請求項１１に記載の方法。
【請求項１９】
無線通信ネットワークの複数のユーザ機器（ＵＥ）と通信するように設定されたネットワークノードであって、
前記ネットワークノードに電力を供給するように構成された電力供給回路と、
前記ＵＥと通信するように構成されたトランシーバ回路と、
前記トランシーバ回路と動作可能に結合された処理回路と
を備え、それにより、前記処理回路と前記トランシーバ回路は、
特定のＵＥへ、共有される通信チャネルを介した通信に使用可能なアクティブ帯域幅部分（ＢＷＰ）の第１の指標を送信し、ここで前記アクティブＢＷＰは
2021508958.tif 000222
周波数領域リソースブロック（ＲＢ）を含む、
前記ＵＥに配分される前記アクティブＢＷＰ内の１つまたは複数のＲＢを選択し、
複数の使用可能なビットを用いて、前記１つまたは複数の選択されたＲＢの第２の指標を復号し、ここで前記複数の使用可能なビットは前記アクティブＢＷＰ以外のＢＷＰ内のＲＢの総数、
2021508958.tif 000223
に関連し、前記複数の使用可能なビットは、前記アクティブＢＷＰ内のＲＢのすべての配分可能な組合せの符号化に不十分である、
ダウンリンク制御チャネルを介して前記復号された第２の指標を前記ＵＥに送信する
ように構成されている、ネットワークノード。
【請求項２０】
前記１つまたは複数の配分ＲＢが、開始仮想リソースブロック（ＲＢｓｔａｒｔ）および隣接割り当てリソースブロック長（ＬＲＢｓ）によって表され、
前記開始仮想リソースブロック（ＲＢｓｔａｒｔ）が、ＫＳＲＢの分解能で符号化され、
前記隣接割り当てリソースブロック長（ＬＲＢｓ）が、ＫＬＲＢの分解能で符号化され、
ＫＳとＫＬが整数である、請求項１９に記載のネットワークノード。
【請求項２１】
ＫＳが、ＫＬに等しい、請求項２０に記載のネットワークノード。
【請求項２２】
前記第２の指標が、
当該第２の指標が表し得る前記ＲＢｓｔａｒｔの最小値がゼロで、
当該第２の指標が表し得る前記ＬＲＢｓの最小値がＫＬ
となるように符号化される、請求項２０に記載のネットワークノード。
【請求項２３】
ＫＳおよびＫＬの少なくとも一方が、
2021508958.tif 000224
を
2021508958.tif 000225
で除した数の関数に基づいて決定される、請求項２０に記載のネットワークノード。
【請求項２４】
前記第２の指標が、
2021508958.tif 000226
の場合に
2021508958.tif 000227
に、および
その他の場合に
2021508958.tif 000228
に従って符号化され、ここにおいて
2021508958.tif 000229
であり、ＲＢ’ｓｔａｒｔ＝ＲＢｓｔａｒｔ／ＫＳ、およびＬ’ＲＢｓ＝ＬＲＢｓ／ＫＬである、請求項２０に記載のネットワークノード。
【請求項２５】
無線通信ネットワークのネットワークノードにより、ユーザ機器（ＵＥ）へ、１つまたは複数の別のＵＥと共有される通信チャネルの周波数領域リソースを配分する方法であって、
ＵＥへ、共有される通信チャネルを介した通信に使用可能なアクティブ帯域幅部分（ＢＷＰ）の第１の指標を送信することと、ここで前記アクティブＢＷＰは
2021508958.tif 000230
周波数領域リソースブロック（ＲＢ）を含む、
前記ＵＥに配分される前記アクティブＢＷＰ内の１つまたは複数のＲＢを選択することと、
複数の使用可能なビットを用いて、前記１つまたは複数の選択されたＲＢの第２の指標を復号することと、ここで前記複数の使用可能なビットは前記アクティブＢＷＰ以外のＢＷＰ内のＲＢの総数、
2021508958.tif 000231
に関連し、前記複数の使用可能なビットは、前記アクティブＢＷＰ内のＲＢのすべての配分可能な組合せの符号化に不十分である、
ダウンリンク制御チャネルを介して前記復号された第２の指標を前記ＵＥに送信すること
を含む、方法。
【請求項２６】
前記１つまたは複数の配分ＲＢが、開始仮想リソースブロック（ＲＢｓｔａｒｔ）および隣接割り当てリソースブロック長（ＬＲＢｓ）によって表され、
前記開始仮想リソースブロック（ＲＢｓｔａｒｔ）が、ＫＳＲＢの分解能で符号化され、
前記隣接割り当てリソースブロック長（ＬＲＢｓ）が、ＫＬＲＢの分解能で符号化され、
ＫＳとＫＬが整数である、請求項２５に記載の方法。
【請求項２７】
ＫＳが、ＫＬに等しい、請求項２６に記載の方法。
【請求項２８】
前記第２の指標が、
当該第２の指標が表し得る前記ＲＢｓｔａｒｔの最小値がゼロで、
当該第２の指標が表し得る前記ＬＲＢｓの最小値がＫＬ
となるように符号化される、請求項２６に記載の方法。
【請求項２９】
ＫＳおよびＫＬの少なくとも一方が、
2021508958.tif 000232
を
2021508958.tif 000233
で除した数の関数に基づいて決定される、請求項２６に記載の方法。
【請求項３０】
前記第２の指標が、
2021508958.tif 000234
の場合に
2021508958.tif 000235
に、および
その他の場合に
2021508958.tif 000236
に従って符号化され、ここにおいて
2021508958.tif 000237
であり、ＲＢ’ｓｔａｒｔ＝ＲＢｓｔａｒｔ／ＫＳ、およびＬ’ＲＢｓ＝ＬＲＢｓ／ＫＬである、請求項２６に記載の方法。
【国際調査報告】
2021508958.tif 000238
2021508958.tif 000239